(57)【特許請求の範囲】
【請求項１】
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第２遊技状態よりも第１遊技状態への移行を決定した場合の方が高い確率で前記敵キャラクタ選択手段が敵キャラクタＡを選択するよう設定し、
前記第２選択確率は、前記遊技状態決定手段が第２遊技状態への移行を決定した場合に、前記第１選択確率において前記遊技状態決定手段が第２遊技状態への移行を決定した場合よりも高い確率で前記敵キャラクタ選択手段が前記敵キャラクタＡを選択するよう設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機。
【請求項２】
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第２遊技状態よりも第１遊技状態への移行を決定した場合の方が高い確率で前記敵キャラクタ選択手段が敵キャラクタＡを選択するよう設定し、
前記第２選択確率は、前記遊技状態決定手段が第１遊技状態よりも第２遊技状態への移行を決定した場合の方が高い確率で前記敵キャラクタ選択手段が前記敵キャラクタＡを選択するよう設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機。
【請求項３】
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第１遊技状態への移行を決定した場合、複数の敵キャラクタの中から前記敵キャラクタ選択手段が敵キャラクタＡを選択する確率を最も高く設定し、
前記第２選択確率は、前記遊技状態決定手段が第２遊技状態への移行を決定した場合、複数の敵キャラクタの中から前記敵キャラクタ選択手段が前記敵キャラクタＡを選択する確率を最も高く設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機。
【発明の詳細な説明】
【技術分野】
【０００１】
本発明は、遊技者によって操作可能な操作手段を備えた弾球遊技機に関するものである。
【背景技術】
【０００２】
従来のパチンコ遊技機は、遊技領域に設けられた始動口に遊技球が入球すると、入球した際に抽出した乱数値を所定数を限度に記憶し、該記憶された乱数値が予め定められた大当りになる値であるか否かの抽選を記憶された順に行っている。また、抽出した乱数値を基に大当り遊技終了後に遊技者に有利な遊技状態（抽選確率を高くした高確率遊技状態、始動口となる電動役物の開放時間を延長する開放延長状態、各々の状態が組み合わされた状態等）に移行するか否かも抽選し、大当り図柄（特別図柄）によって報知している。
【０００３】
大当り遊技が発生するか否か及び大当り遊技終了後の遊技状態を示す抽選結果は、特別図柄の変動を経た確定表示により報知される。なお、特別図柄は遊技領域の隅に小さく表示されるだけであるので、遊技領域の中央に設けられた演出図柄表示装置にて特別図柄の擬似演出を行い、その擬似演出にて、遊技者に抽選結果に対しての期待感を与えている。期待感を与える演出は、演出図柄表示装置の表示だけではなく、パチンコ遊技機に設けられている発光体や可動物を使用しても行われる。
【０００４】
また、大当り遊技中に演出図柄表示装置にて複数のキャラクタの勝負演出を表示するようし、特定のキャラクタが勝つことで大当り遊技終了後に遊技者に有利な遊技状態に移行することを報知し、特定のキャラクタが負けることで大当り遊技終了後に遊技者に有利な遊技状態に移行しないことを報知する構成のパチンコ遊技機がある＜特許文献１＞。
【０００５】
また、遊技者が操作可能な操作ボタンを備え、上述したような大当り遊技中に表示される大当り遊技終了後に遊技者に有利な遊技状態に移行するか否かを示す演出中に、操作ボタンを操作することで、当該演出に変化を与える構成のパチンコ遊技機も存在する＜特許文献２＞。
【先行技術文献】
【特許文献】
【０００６】
【特許文献１】特開２００６−１４９７６２号公報
【特許文献２】特開２００７−３１３２０１号公報
【発明の概要】
【発明が解決しようとする課題】
【０００７】
上記した構成では、大当り遊技中の演出内容で大当り遊技終了後の遊技状態を報知する構成にすることで、単調な大当り遊技に面白味を与え、更に遊技者が操作ボタンを操作すると大当り遊技中の演出が変化することで、自力で大当り遊技終了後に有利な遊技状態に移行したと思えるようになる。
【０００８】
しかしながら、演出に興味の無い遊技者は操作ボタンの操作を行わずに遊技を進行することが多々あり、遊技機が本来備える演出の面白味が伝わらないという問題があった。本願発明は、多くの人に操作ボタンを操作してもらい、もっとパチンコ遊技機を楽しんでもらえるように考え出されたものである。
【課題を解決するための手段】
【０００９】
請求項１記載の弾球遊技機は、
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第２遊技状態よりも第１遊技状態への移行を決定した場合の方が高い確率で前記敵キャラクタ選択手段が敵キャラクタＡを選択するよう設定し、
前記第２選択確率は、前記遊技状態決定手段が第２遊技状態への移行を決定した場合に、前記第１選択確率において前記遊技状態決定手段が第２遊技状態への移行を決定した場合よりも高い確率で前記敵キャラクタ選択手段が前記敵キャラクタＡを選択するよう設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機である。
【００１０】
請求項２記載の弾球遊技機は、
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第２遊技状態よりも第１遊技状態への移行を決定した場合の方が高い確率で前記敵キャラクタ選択手段が敵キャラクタＡを選択するよう設定し、
前記第２選択確率は、前記遊技状態決定手段が第１遊技状態よりも第２遊技状態への移行を決定した場合の方が高い確率で前記敵キャラクタ選択手段が前記敵キャラクタＡを選択するよう設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機である。
【００１１】
請求項３記載の弾球遊技機は、
遊技球が始動口に入球した際に抽出した乱数値によって、大入賞口を開放する特別遊技状態を発生させるか否かを抽選する特別遊技抽選手段と、
前記特別遊技状態終了後の遊技状態を、第１遊技状態又は該第１遊技状態よりも遊技者に有利な第２遊技状態のいずれに移行するかを決定する遊技状態決定手段と、
前記特別遊技抽選手段の抽選結果と前記遊技状態決定手段の決定内容とを示す特別図柄を表示する特別図柄表示手段と、
前記特別図柄の擬似演出表示を行う演出図柄表示装置と、
遊技者が操作可能な操作ボタンと、を設け、
前記特別遊技状態中に前記演出図柄表示装置にてキャラクタ同士が対戦する勝負演出を行い、前記操作ボタンの操作によって味方キャラクタの状態又は該状態を示す目安表示を変化させ、敵キャラクタに勝利する演出を行うことで、前記遊技状態決定手段による決定内容が第２遊技状態への移行を決定したことを示唆する弾球遊技機において、
前記特別遊技状態中に行われる前記勝負演出中に前記操作ボタンにて所定操作が行われたことを記憶する操作結果記憶手段と、
前記特別遊技状態中に前記味方キャラクタと対戦する敵キャラクタを複数の敵キャラクタの中より選択する敵キャラクタ選択手段と、
該敵キャラクタ選択手段によって前記敵キャラクタを選択する確率を、第１選択確率又は第２選択確率に切り換える敵キャラクタ選択確率変更手段と、を備え、
前記第１選択確率は、前記遊技状態決定手段が第１遊技状態への移行を決定した場合、複数の敵キャラクタの中から前記敵キャラクタ選択手段が敵キャラクタＡを選択する確率を最も高く設定し、
前記第２選択確率は、前記遊技状態決定手段が第２遊技状態への移行を決定した場合、複数の敵キャラクタの中から前記敵キャラクタ選択手段が前記敵キャラクタＡを選択する確率を最も高く設定し、
前記第１選択確率を初期の選択確率として使用し、
前記第２遊技状態を挟んで前記特別遊技が連続して発生した場合において、
前記操作結果記憶手段に、前の前記特別遊技中における前記勝負演出中に前記操作ボタンにて所定操作が行われたことが記憶されていた場合には、前記敵キャラクタ選択手段は、後の前記特別遊技中に行われる前記勝負演出で対戦する前記敵キャラクタを前記第１選択確率にて選択し、
前記操作結果記憶手段に、前の前記特別遊技中における前記勝負演出中に前記操作ボタンにて所定操作が行われたことが記憶されていなかった場合には、前記敵キャラクタ選択手段は、後の前記特別遊技中に行われる前記勝負演出で対戦する前記敵キャラクタを前記第２選択確率にて選択するようにしたことを特徴とする弾球遊技機である。
【００１２】
「第１遊技状態又は該第１遊技状態よりも遊技者に有利な第２遊技状態」とは、例えば、第２遊技状態が確率変動状態（高確率状態）又は確率変動機能と開放延長機能が同時に作動する状態であった場合、第１遊技状態は、開放延長状態であってもよいし、確率変動機能も開放延長機能も作動しない通常遊技状態であってもよい。また、第２遊技状態が開放延長状態であった場合、第１遊技状態は通常遊技状態であってもよい。
【００１３】
大当り遊技中に行われる味方キャラクタと敵キャラクタによる勝負演出（大当り遊技終了後に第１遊技状態に移行するか第２遊技状態に移行するかを示唆する演出）は、全ての大当り遊技中に行う必要はなく、例えば、大当り遊技開始前に既に第２遊技状態に移行することを演出図柄表示装置にて示した場合や、通常遊技状態における大当り時には、勝負演出ではなく違う演出によって大当り遊技終了後に第１遊技状態に移行するか第２遊技状態に移行するかを示唆する演出を行うようにしてもよい。
【００１４】
「操作ボタンの操作によって対戦中の味方キャラクタの状態又は該状態を示す目安表示を変化させ」とは、例えば、味方キャラクタ（対戦に勝てば第２遊技状態への移行を決定したことを示唆するキャラクタ）が倒れている状態で遊技ボタンを押すと、ボタン操作に応じて操作毎に味方キャラクタが立ち上がる動作を徐々に行うとか、味方キャラクタの体力（気力、パワー、気迫など）を示すレベルメータを表示した場合は、ボタン操作に応じて操作毎にレベルメータの目盛りが徐々に上がっていくなどが考えられる。つまり、１回しか押せない構成ではなく、複数回押せる構成が好適である。なお、体力、気力、パワー、気迫等を示す表示が本願発明における状態を示す目安表示に該当する。
【００１５】
また、操作ボタンを操作することでキャラクタの状態又は状態を示す目安表示が特定の状態に達したら（例えば、キャラクタが完全に立ち上がる、レベルメータの目盛りが最大値に達するなど）、第２遊技状態に必ず移行するようにしてもよい。つまり、抽選で第１遊技状態に移行すると決定されていた場合には、味方キャラクタの状態又は状態の目安は、遊技ボタンの操作に応じて途中（特定の状態の直前）までは変化するが、その後はどれだけ遊技ボタンを操作しても特定の状態にまでは変化しないようにする。このような構成にすることで、遊技者は一生懸命、遊技ボタンを操作するようになる。
【００１６】
なお、抽選結果が第２遊技状態に移行すると決定された場合でも、どれだけ遊技ボタンを操作しても特定の状態までは変化しないパターンを備えるのが好適である。その場合、後の演出で復活して敵キャラクタに勝つ、又は引き分けとなる演出を行う（復活演出）構成が望ましい。また、抽選結果が第２遊技状態に移行すると決定されていた場合で、遊技者が操作ボタンを操作しなかった場合（又は操作量（回数）が足りなかった（少なかった）場合）にも、同様に復活演出を行う構成としてもよい。
【００１７】
勝負演出は、味方キャラクタが敵キャラクタに１回でも負けた演出が行われたら必ず第１遊技状態に移行するとは限らず、最終的に味方キャラクタが敵キャラクタに勝利すれば必ず第２遊技状態に移行する。また、上述したように引き分け演出を設ける構成が好適である。なお、最終的に引き分け演出を行う場合は、第２遊技状態に移行することが決定されているときに行う構成が望ましい。
【００１８】
「勝負演出」は、当然、戦いだけでなく、スポーツ、ゲームなど、勝ち負けが存在するものであればよい。また、１対１の勝負でなく、１対２又は２対１でもよく、途中でキャラクタが変更される構成でもよい。つまり、団体戦であったり、勝ち抜き戦であってもよい。また、上述したように勝負に引き分け（つまり、味方キャラクタが勝ちはしなかったが、負けもしなかった）を入れる構成でもよい。なお、引き分けの場合には、第２遊技状態に移行させる構成が好適である。
【００１９】
「操作ボタンの所定操作が行われたことを記憶」とは、特別遊技中の味方キャラクタの状態又は該状態を示す目安表示が変化可能な期間に、操作ボタンが操作されたか否かを記憶する構成であり、遊技ボタンを複数回連続で押させるための期間中に操作ボタンが操作されたか否かが記憶される。
【００２０】
なお、当該期間に１回でも操作ボタンが操作されれば記憶される構成にしてもよいし、当該期間に上限回数まで操作された場合にのみ記憶する構成としてもよい。また、操作したか否かだけを記憶するのではなく、操作した回数も記憶する構成にしてもよく、この構成を基に、操作した回数に応じて敵キャラクタ選択手段における選択率を変化させてもよい。
【００２１】
また、当該期間を１回の特別遊技中に複数回設けてもよい。そのような場合、複数回の当該期間中の全てにおいて操作ボタンが操作された場合にのみ記憶される構成にしてもよいし、１回の当該期間中に操作ボタンが操作されれば操作記憶手段に記憶する構成としてもよい。また、例えば、１回目の当該期間中には押されたが、２回目の当該期間中には押されなかったなど、詳しく記憶する構成にしてもよい。
【００２２】
また、前記操作結果記憶手段に記憶された内容をクリアする操作結果記憶消去手段を備え、操作結果記憶消去手段は、前回の勝負演出時の操作状況の記憶に基づき次の勝負演出における敵キャラクタの選択確率を決定した後に前回の操作状況の記憶を消去してもよいし、大当り遊技終了後に通常遊技状態に移行する大当り遊技に起因して又は通常遊技状態への移行に起因して操作状況の記憶を消去してもよい。
【００２３】
「操作結果記憶手段の記憶に基づき第１選択確率又は第２選択確率に切り換える」とは、前回の勝負演出時における操作ボタンの操作状況の記憶に基づいて次の勝負演出における敵キャラクタの選択確率が決定されるということである。但し、前回の勝負演出後に通常遊技状態に移行した場合（又は電源投入時の初期状態による通常遊技状態の場合）、その後の１回目の勝負演出は、必ず第１選択確率を用いた勝負演出を行う構成、又は必ず特定の敵キャラクタ（敵キャラクタＡ）が出現する勝負演出を行う構成が望ましい。
【発明の効果】
【００２４】
請求項１記載の弾球遊技機によれば、敵キャラクタ選択確率変更手段は、遊技ボタンの所定の操作記憶がある場合には、必ず第１選択確率を選択する構成とし、第１選択確率において敵キャラクタＡは、第２遊技状態よりも第１遊技状態へ移行する場合に高い確率で出現する設定となっている。第２遊技状態よりも第１遊技状態へ移行する場合に高い確率で出現するということは、敵キャラクタＡが出現した勝負演出では、高い確率で味方キャラクタが負けることを意味し、遊技者にとって敵キャラクタＡは手強い敵キャラクタとなる。
【００２５】
遊技ボタンの所定の操作記憶が無い場合に敵キャラクタ選択確率変更手段が選択する第２選択確率では、第２遊技状態に移行する場合、敵キャラクタＡは、第１選択確率で第２遊技状態に移行する場合の出現率よりも高い確率で出現する設定となっている。従って、遊技ボタンを操作しなければ、遊技者に有利な第２遊技状態に移行する場合であっても、手強い敵が出現する確率が高くなっている。
【００２６】
弱い敵が出現すれば、その時点から安心して遊技を進行することができるが、強い敵が出現した場合は、出現時から長時間不安感を抱きながら遊技を進行することになり、たとえ大当り遊技終了後の遊技状態が遊技ボタンを操作しても変わらないことが分かっていても、早く不安感を一掃したいと願うのが遊技者の常である。上記した構成により、遊技ボタンを操作しても遊技結果に影響が無いことを知っている遊技者であっても、遊技者心理として手強い敵よりも弱い敵の出現を好むため、積極的に遊技ボタンを押す効果があると共に、それにより、遊技ボタンの操作に応じた演出が堪能でき、遊技への参加意識を増幅させる効果がある。
【００２７】
請求項２記載の弾球遊技機によれば、敵キャラクタ選択確率変更手段は、遊技ボタンの操作記憶がある場合には、必ず第１選択確率を選択する構成とし、第１選択確率において敵キャラクタＡは、第２遊技状態よりも第１遊技状態へ移行する場合に高い確率で出現する設定となっているため、敵キャラクタＡは請求項１の発明内容と同様に遊技者にとって手強い敵となっている。
【００２８】
また、遊技ボタンの所定の操作記憶が無い場合に敵キャラクタ選択確率変更手段が選択する第２選択確率では、敵キャラクタＡは、第１遊技状態よりも第２遊技状態へ移行する場合に高い確率で出現する設定となっている。従って、遊技ボタンを操作しない場合に選択される第２選択確率では、遊技者に有利な第２遊技状態に移行する場合に、遊技者が手強いと感じる敵が出現する確率が高くなっている。
【００２９】
弱い敵が出現すれば、その時点から安心して遊技を進行することができるが、強い敵が出現した場合は、出現時から長時間不安感を抱きながら遊技を進行することになり、たとえ大当り遊技終了後の遊技状態が遊技ボタンを操作しても変わらないことが分かっていても、早く不安感を一掃したいと願うのが遊技者の常である。上記した構成により、遊技ボタンを操作しても遊技結果に影響が無いことを知っている遊技者であっても、遊技者の心理として手強い敵よりも弱い敵の出現を好むため、積極的に遊技ボタンを押す効果があると共に、それにより、遊技ボタンの操作に応じた演出が堪能でき、遊技への参加意識を増幅させる効果がある。
【００３０】
請求項３記載の弾球遊技機によれば、敵キャラクタ選択確率変更手段は、遊技ボタンの操作記憶がある場合には、必ず第１選択確率を選択する構成とし、第１選択確率において敵キャラクタＡは、第１遊技状態へ移行する場合に複数の敵キャラクタの中から最も高い確率で出現する設定となっているため、敵キャラクタＡは遊技者にとって最も手強いと感じる敵となる。
【００３１】
また、遊技ボタンの所定の操作記憶が無い場合に敵キャラクタ選択確率変更手段が選択する第２選択確率では、敵キャラクタＡは、第２遊技状態へ移行する場合に複数の敵キャラクタの中から最も高い確率で出現する設定となっている。従って、遊技ボタンを操作しなければ、遊技者に有利な第２遊技状態に移行する場合に、遊技者が最も手強いと感じる敵が最も多く出現する。
【００３２】
弱い敵が出現すれば、その時点から安心して遊技を進行することができるが、強い敵が出現した場合は、出現時から長時間不安感を抱きながら遊技を進行することになり、たとえ大当り遊技終了後の遊技状態が遊技ボタンを操作しても変わらないことが分かっていても、早く不安感を一掃したいと願うのが遊技者の常である。上記した構成により、遊技ボタンを操作しても遊技結果に影響が無いことを知っている遊技者であっても、遊技者の心理として手強い敵よりも弱い敵の出現を好むため、積極的に遊技ボタンを押す効果があると共に、それにより、遊技ボタンの操作に応じた演出が堪能でき、遊技への参加意識を増幅させる効果がある。
【図面の簡単な説明】
【００３３】
【図１】遊技機１の正面図。
【図２】遊技機１の裏面図。
【図３】遊技盤８の正面図。
【図４】遊技機の電気的構成を示すブロック図。
【図５】主制御装置５０が実行するメインルーチンを示す図。
【図６】各種乱数の説明図。
【図７】主制御装置５０が実行する始動入賞確認処理を示すフローチャート。
【図８】主制御装置５０が実行する特別図柄当否判定処理を示すフローチャート（１）。
【図９】主制御装置５０が実行する特別図柄当否判定処理を示すフローチャート（２）。
【図１０】主制御装置５０が実行する特別図柄当否判定処理を示すフローチャート（３）。
【図１１】主制御装置５０が実行する特別遊技処理を示すフローチャート（１）。
【図１２】主制御装置５０が実行する特別遊技処理を示すフローチャート（２）。
【図１３】主制御装置５０が実行する特別遊技処理を示すフローチャート（３）。
【図１４】サブ統合制御装置５３が実行する保留記憶数指示信号受信処理を示すフローチャート。
【図１５】サブ統合制御装置５３が実行する変動開始コマンド受信処理を示すフローチャート。
【図１６】サブ統合制御装置５３が実行する大当り開始コマンド受信処理を示すフローチャート。
【図１７】サブ統合制御装置５３が実行する操作信号受信処理を示すフローチャート。
【図１８】第１選択確率と第２選択確率の内容を示す図表。
【図１９】敵キャラクタｊの選択確率の詳細を示す図表。
【図２０】大当り遊技の演出（出現する敵キャラクタ）と、遊技ボタン１４の操作の有無と、大当り遊技終了後の遊技状態との関係例を示すタイミングチャート（１）。
【図２１】大当り遊技の演出（出現する敵キャラクタ）と、遊技ボタン１４の操作の有無と、大当り遊技終了後の遊技状態との関係例を示すタイミングチャート（２）。
【図２２】演出図柄表示装置５４ｂに表示する大当り遊技中の演出内容を示す図（１）。
【図２３】演出図柄表示装置５４ｂに表示する大当り遊技中の演出内容を示す図（２）。
【図２４】演出図柄表示装置５４ｂに表示する大当り遊技中の演出内容を示す図（３）。
【図２５】演出図柄表示装置５４ｂに表示する大当り遊技中の演出内容を示す図（４）。
【図２６】演出図柄表示装置５４ｂに表示する大当り演出の演出発展経路図（１）。
【図２７】演出図柄表示装置５４ｂに表示する大当り演出の演出発展経路図（２）。
【発明を実施するための形態】
【００３４】
以下に本発明の好適な実施形態について図面を参照して説明する。尚、本発明の実施の形態は下記の実施例に何ら限定されるものではなく、本発明の技術的範囲に属する種々の形態を採り得ることができ、各実施例に記載された内容の相違部分を適宜組み合わせることが可能なことはいうまでもない。
【実施例１】
【００３５】
図１に遊技機の一種であるパチンコ機１の正面図を示し、詳細に説明する。図１に示す通り、本実施例のパチンコ機１は、大きく長方形の外枠２、前面枠３、意匠枠４ａ、意匠枠４ｂとならなる筐体にて各部を保持する構造である。
【００３６】
外枠２左側の上部には金具５ａが、下部に金具５ｂがそれぞれ設けられており、金具５ａおよび５ｂとでヒンジ機構を形成し、前面枠３は外枠２に対して開閉可能に構成され、図示しない前面枠閉鎖スイッチ３８（図４参照）が前面枠３の閉鎖状態を検出可能に装着されている。また、前面枠３左側の中部には金具５ｃが設けられ、金具５ａと金具５ｃとでヒンジ機構を形成し、意匠枠４ａは前面枠３に対して開閉可能に構成されている。さらに、金具５ｃと金具５ｂとでヒンジ機構を形成し、意匠枠４ｂは前面枠３に対して開閉可能に構成されている。
【００３７】
ヒンジ機構が形成される逆側（ここでは右側）には、外枠２と前面枠３との施錠、前面枠３と意匠枠４ａとの施錠、前面枠３と意匠枠４ｂとの施錠／解錠を行うための鍵穴６ａを有するスライド錠６（図２参照）が設けられている。尚、本実施例のパチンコ機１は、外枠２の左隣にＣＲプリペイドカードユニット７を設けている所謂ＣＲ機として説明するが、ＣＲプリペイドカードユニット７を設けない所謂現金機としても何ら差し支えない。
【００３８】
意匠枠４ａは、後述する遊技盤８を視認可能とするために透明樹脂板またはガラス板を備える窓部９、前面枠３に設けられたスピーカ１０の前面にスピーカ１０を保護し、且つ、効果音を通すための保護音通部１１を備えている。
【００３９】
また、意匠枠４ｂは、遊技球を貯留しておくための上皿１２および下皿１３を略中央に備え、遊技者が操作可能な遊技ボタン１４、ＣＲプリペイドカードユニット７と後述するＣＲユニット端子板６０を介して接続される精算表示装置１５、球貸ボタン１６および精算ボタン１７を左側に備えている。なお、遊技ボタン１４は本願発明における操作ボタンに該当する。
【００４０】
前面枠３の右下側（意匠枠４ｂの右側）には、遊技球の発射強度を調節するための発射ハンドル１８が設けられており、発射ハンドル１８の近傍には、図示しない発射停止ボタン１９（図４参照）およびタッチ板２０が設けられている。前面枠３の下側（意匠枠４ｂの下側）には、スピーカ１０を備えたスピーカユニット２１が設けられている。
【００４１】
続いて、図２にパチンコ機１の裏面図を示し、詳細に説明する。図２に示す通り、遊技盤８を着脱可能に取り付けられる前面枠３が外枠２に収納されるような構成となっている。前面枠３には、上方から球タンク２２、タンクレール２３および払出装置２４が設けられ、遊技盤８に設けられる後述する入賞口に遊技球が入球することに基づいて、払出装置２４の払出モータ２４ａが駆動することによって、球タンク２２およびタンクレール２３に貯留されている遊技球が、前述した上皿１２に払い出されることになる。
【００４２】
また、遊技盤８の裏面側には、主制御装置５０、サブ統合装置５３、演出図柄ユニット５４が設けられ、前面枠３の裏面側には、払出制御装置５１、発射制御装置５２、電源装置５５が各々設けられ、電源装置５５には電源スイッチ５５ａおよびＲＡＭクリアスイッチ５５ｂ、図示しないバックアップ用電源が設けられている。尚、発射制御装置５２が図示されていないが、払出制御装置５１で隠れる位置に配置されている。
【００４３】
さらに、前面枠３には、外部接続端子板６１が設けられており、この外部接続端子板６１から遊技状態、遊技結果、不正行為等を示す信号がホールコンピュータ７０（図４参照）に送られるように構成されている。尚、本実施例では外部接続端子板６１を盤用、枠用を兼用する構成としているが、盤用、枠用の外部接続端子板を個々に備えるように構成しても何ら差し支えない。
【００４４】
続いて、図３に遊技盤８の正面図を示し、詳細に説明する。図３に示す通り、遊技盤８には公知のガイドレール２５ａ、２５ｂによって囲まれた略円形の遊技領域２６が設けられ、多数の遊技釘２７が植設されている。遊技領域２６の略中央には、窓部２８ａを有するセンターケース２８が設けられており、演出図柄表示装置５４ｂ（図４参照）のＬＣＤ画面が遊技者から視認可能に構成され、図示しない公知のワープ入口、ワープ通路、ステージ等も設けられている。
【００４５】
センターケース２８の左には普通図柄作動ゲート４２が配置され、窓部２８ａの上部には、７セグメントＬＥＤ等の発光部材により構成される普通図柄表示装置４１が配置され、その右側には４個のＬＥＤからなる普通図柄保留記憶表示装置４１ａが設けられている。
【００４６】
センターケース２８の下方には、第１特別図柄始動口３１と開放時のみ入賞可能となる普通電動役物４０が第２始動口３２として配置され、遊技領域２６の下方左側に２個の７セグメントＬＥＤにより構成された第１特別図柄表示装置２９が、遊技領域２６の下方右側に同じく２個の７セグメントＬＥＤにより構成された第２特別図柄表示装置３０が配置されている。また、第１特別図柄表示装置２９の左には、ＬＥＤ等の４個の発光部材で構成される第１特別図柄保留数表示装置２９ａが、第２特別図柄表示装置３０の右には、同様にＬＥＤ等の４個の発光部材で構成される第２特別図柄保留数表示装置３０ａが配置されている。なお、第１特別図柄表示装置２９と第２特別図柄表示装置３０とは、本願発明における特別図柄表示手段に該当する。
【００４７】
第２始動口３２の下方には、アタッカー式の大入賞口３３ａが配置され、その下方にはアウト口３４が設けられている。また、第２始動口３２の左右には、ガイドレール２５ｂに沿うように一般入賞口３５ａを備えた入賞口ユニット３５が設けられている。
【００４８】
上記のように遊技盤８を構成することによって、普通図柄作動ゲート４２に入球すると、普通図柄表示装置４１で普通図柄が変動表示を開始し、所定時間後に停止した普通図柄の態様に応じて、普通電動役物４０の羽根部材が駆動して、第２始動口３２への入球が可能となるように構成されている。尚、本実施形態におけるパチンコ機では、普通電動役物４０の羽根部材が駆動する開放時間は、通常時は０．３秒（１回）、時短状態（開放延長状態）では５．０秒（１回）である。
【００４９】
第１始動口３１に遊技球が入球（第１特別図柄始動スイッチ３１ａ（図４参照）にて遊技球を検出）すると、第１特別図柄表示装置２９において第１特別図柄が変動を開始し、所定時間後に停止する。また、第２始動口３２である普通電動役物４０に遊技球が入球（第２特別図柄始動スイッチ３２ａ（図４参照）にて遊技球を検出）すると、第２特別図柄表示装置３０において第２特別図柄が変動表示を開始し、所定時間後に停止する。
【００５０】
第１特別図柄及び第２特別図柄の変動中は、窓部２８ａに配置された演出図柄表示装置５４ｂにおいて各々の特別図柄の変動に連動した演出態様を表示する。また、第１特別図柄と第２特別図柄は、第１始動口と第２始動口への入球順に関係なく、第２特別図柄の変動（抽選）を優先して実施する。具体的には、第１特別図柄の保留記憶がある場合、第２特別図柄の変動が停止し且つ第２特別図柄保留記憶が無い状態となってはじめて第１特別図柄保留記憶分の変動を開始する。変動表示後に確定表示した第１特別図柄及び第２特別図柄の態様に応じて大入賞口ユニット３３の扉部材が駆動して、大入賞口３３ａへの入球が可能となるように構成されている。
【００５１】
続いて、図４に本実施例におけるパチンコ機の電気配線を示すブロック図を示し説明する。図４には煩雑になる電源の供給系統に関する記載は行わないが、電源が必要な制御装置若しくはアクチュエータ類には、電源装置（図示せず）から直接的又は間接的に供給される構成となっている。尚、遊技盤８を装着するパチンコ機本体に関する部品は図示を省略している。
【００５２】
図４に示す通り、主制御装置５０の入力端には、遊技盤中継端子板を介して第１始動口３１に入球した遊技球を検出する第１始動口スイッチ３１ａと第２始動口３２である普通電動役物４０に入球した遊技球を検出する第２始動口スイッチ３２ａと、普通図柄作動ゲート４２に入球した遊技球を検出する普通図柄作動スイッチと、大入賞口３３ａに入球した遊技球を検出するカウントスイッチと、一般入賞口３５ａに入球した遊技球を検出する一般入賞口スイッチとが接続されており、裏配線中継端子板を介して前面枠が閉鎖していることを検出する前面枠閉鎖スイッチと、意匠枠が閉鎖していることを検出する意匠枠閉鎖スイッチと、が接続されている。
【００５３】
主制御装置５０の出力端には、遊技盤中継端子板を介して大入賞口３３ａの扉部材を駆動する大入賞口ソレノイドと、普通電動役物３１の羽根部材を駆動する普通電役ソレノイドとが接続されており、図柄表示装置中継端子板を介して第１特別図柄を表示する第１特別図柄表示装置２９と、第１特別図柄の保留数を表示する第１特図保留数表示装置２９ａと、第２特別図柄を表示する第２特別図柄表示装置３０と、第２特別図柄の保留数を表示する第２特図保留数表示装置３０ａと、普通図柄を表示する普通図柄表示装置と、普通図柄の保留数を表示する普図保留数表示装置とが接続されており、裏配線中継端子板及び外部接続端子板を介して図示しないホールコンピュータと、が接続されている。
【００５４】
主制御装置５０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１及びサブ統合装置５３に出力する。ここで、主制御装置５０と払出制御装置５１とは双方向通信回路として構成され、主制御装置５０とサブ統合制御装置５３とは主制御装置５０からサブ統合制御装置５３への一方向通信回路として構成されている。
【００５５】
払出制御装置５１の入力端には、裏配線中継端子板を介して球タンク（図示せず）又はタンクレール（図示せず）内の遊技球が不足していることを検出する球切れスイッチと、裏配線中継端子板及び払出中継端子板を介して払い出した遊技球を検出する払出スイッチと、各種端子板を介することなく下皿への経路に遊技球が多数あることを検出する満杯スイッチと、が接続されている。払出制御装置５１の出力端には、裏配線中継端子板及び払出中継端子板を介して遊技球を上皿へと払い出す払出モータが接続されている。
【００５６】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０及び発射制御装置に出力する。ここで、払出制御装置５１と主制御装置５０とは双方向通信回路として構成され、払出制御装置５１と発射制御装置とは払出制御装置５１から発射制御装置への一方向通信回路として構成されている。
【００５７】
また、払出制御装置５１は、外部接続端子板を介して賞球に関する情報などをホールコンピュータに送信するほか、発射制御装置に対して発射停止信号を送信する。発射制御装置は発射モータを制御して、遊技球を遊技領域２６に遊技球を発射させる。なお、発射制御装置には払出制御装置５１以外に発射ハンドルからの回動量信号、タッチスイッチからのタッチ信号、発射停止スイッチから発射停止スイッチ信号が入力される。回動量信号は、遊技者が発射ハンドル１８を操作することで出力され、タッチ信号は遊技者が発射ハンドル１８を触ることで出力され、発射停止スイッチ信号は、遊技者が発射停止スイッチを押すことで出力される。なお、タッチ信号が発射制御装置５１に入力されていなければ、遊技球は発射できないほか、発射停止スイッチ信号が入力されているときには、遊技者が発射ハンドル１８を触っていても遊技球は発射出来ないようになっている。
【００５８】
サブ統合制御装置５３の出力端には、図示しない意匠枠及び遊技盤８に備えられる各種ＬＥＤ・ランプと、前面枠及びスピーカユニットに備えられるスピーカと、が接続されている。尚、サブ統合制御装置５３と主制御装置５０とは、主制御装置５０からサブ統合制御装置５３への一方向通信回路として構成され、サブ統合制御装置５３と演出図柄制御装置５４ａとは双方向通信回路として構成されている。
【００５９】
サブ統合制御装置５３はＣＰＵ、ＲＯＭ、ＲＡＭ等の電気部品を備えており、搭載するＲＯＭに記憶されたプログラムに従ってＣＰＵにて処理を実行し、遊技スイッチ１４ａの入力ならびに主制御装置５０から入力されるコマンドに基づいて演出に関わる各種コマンド等を生成し、演出図柄ユニットの演出図柄制御装置５４ａに出力する。
【００６０】
また、サブ統合制御装置５３には、音量を調節する音量調節スイッチが備えられ、音量調節スイッチの状態（位置）を検出し、その検出結果とスピーカへ送信する内容とを判断し、スピーカから出力する音量をソフト的に制御するように構成されている。
【００６１】
演出図柄制御装置５４ａは、サブ統合制御装置５３から受信したデータ及びコマンド（共に主制御装置５０から送信されてきたものとサブ統合制御装置５３が生成したものとがある）に基づいて演出図柄表示装置５４ｂを制御して、疑似図柄等の演出画像を窓部２８ａに表示させる。
【００６２】
次に、本実施形態におけるパチンコ機の作動について説明する。本実施形態のパチンコ機は確率変動機として構成され、通常確率状態と、該通常確率状態に比べて遊技者にとって有利な状態となる確率変動状態 (高確率状態)とが存在する。第１特別図柄及び第２特別図柄は、確率変動図柄及び非確率変動図柄とからなり、確率変動状態は確率変動図柄での大当たり遊技終了後に移行可能に設定され、通常確率状態、確率変動状態のうち、いずれの遊技状態でも確率変動図柄で大当たりすれば、該大当たり遊技終了後、確率変動状態に移行する。
【００６３】
同様に通常確率状態は、非確率変動図柄での大当たり遊技終了後に移行可能に設定され、通常確率状態、確率変動状態のうち、いずれの遊技状態でも非確率変動図柄で大当たりすれば、該大当たり遊技終了後、通常確率状態に移行する。なお、第１特別図柄と第２特別図柄は、図３を用いて上述した２個の７セグメントＬＥＤに２つの異なるアルファベットの組み合わせで表示される構成であり、どちらの特別図柄も遊技領域２６の隅に小さく表示されるため、大当り図柄が確率変動図柄なのか非確率変動図柄なのか、遊技者の判断が困難な構成としている。これにより遊技者は図柄表示装置５４ｂに表示される演出態様によって確率変動状態となるか否かを判断する。
【００６４】
通常確率状態に移行後は、規定回数（１００回）だけ第１特別図柄、第２特別図柄及び普通図柄の変動時間が短縮され、かつ第２始動口３２である普通電動役物４０の開放延長機能が作動する時短状態となる。時短状態では、第１特別図柄、第２特別図柄及び普通図柄の変動時間（変動開始から結果が表示されるまでの時間）が短縮され、一定時間内に変動表示が行なわれる回数が増大する。
【００６５】
具体的には、本実施形態の時短状態では、第１特別図柄及び第２特別図柄の変動時間の短縮とともに、普通図柄表示装置４１に表示される普通図柄の時間短縮も行われるが、この普通図柄の変動表示を短縮させることで、一定時間内で多数回普通図柄の確定表示を行う。従って、一定時間内での普通図柄が当りとなる回数が増大し、これにより第２始動口３２である普通電動役物４０の作動回数も増大する。また、普通電動役物４０の開放時間が長くなるように設定されているので、多数の遊技球が入賞し易くなる。このように多数の遊技球が入賞し易くなることにより、第２特別図柄の変動表示回数が更に増大されるとともに、普通電動役物４０入賞による賞球により遊技者の持ち玉が減り難くなり、遊技者に有利な遊技を行うことができる。
【００６６】
尚、確率変動状態では、時短状態と同様に、第１特別図柄、第２特別図柄及び普通図柄の変動時間が短縮され、第２始動口３２である普通電動役物４０開放延長機能が作動する。各種図柄の短縮と普通電動役物４０開放延長機能に関わる設定は時短状態と同一であるが、確率変動状態は時短状態に加えて第１特別図柄及び第２特別図柄の大当り確率が高くなる（大当りし易い）ため、遊技者にとっては時短状態よりも更に有利な遊技状態となる。なお、大当り遊技終了後に移行する時短状態は、本願発明における第１遊技状態に該当し、大当り遊技終了後に移行する確率変動状態は、本願発明における第２遊技状態に該当する。
【００６７】
次に、図５を用いて、主制御装置５０が実行するメインルーチンについて説明する。図５に示すフローチャートは、主制御装置５０のマイコンにより実行されるメイン処理を表したものであり、約２mＳ毎のハード割り込みにより定期的に実行される処理である。本実施形態では、Ｓ１０〜Ｓ７５までの各処理は割り込み処理において１回だけ実行される処理であって「本処理」と称し、この本処理を実行して余った時間内に時間の許す限り繰り返し実行されるＳ８０、Ｓ８５の処理を「残余処理」と称する。
【００６８】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、たいていが電源投入時である。電源投入時にはＲＡＭの所定領域の値が所定値と異なる値となっている。
【００６９】
正常割り込みでないと判断されると（Ｓ１０：ｎｏ）、前記メモリの所定領域に所定値を書き込む特別図柄及び普通図柄を初期図柄とする等のメモリの作業領域への各初期値の書き込み、即ち初期設定が為され（Ｓ１３）、残余処理に移行する。
【００７０】
正常割り込みとの肯定判断がなされると（Ｓ１０：ｙｅｓ）、図６に記載した様々な乱数についての更新処理が行なわれる。まず初期値乱数１の更新処理が実行される（Ｓ１５）。この処理は、初期値乱数１の値について、この処理を実行する毎に＋１するインクリメント処理であり、この処理実行前の初期値乱数１の値に＋１するが、この処理を実行する前の乱数値が最大値である「３９６６」のときには次回の処理で初期値である「０」に戻り、「０」〜「３９６６」までの３９６７個の整数を繰り返し昇順に作成する。
【００７１】
Ｓ１５の処理後には、初期値乱数２の更新処理が実行される（Ｓ２０）。この処理はＳ１５の処理と同様に初期値乱数２の値について、実行毎に＋１するインクリメント処理である。違いは、初期値乱数１の最大値が「３９６６」であるのに対して初期値乱数２の最大値が「９９７」であるということである。よって、この処理を実行する前の初期値乱数２の乱数値が最大値である「９９７」のときは次回の処理で初期値である「０」に戻る。尚、詳細は後述するが初期値乱数１は大当り判定（特別図柄の抽選）に使用するものであり、初期値乱数２は当り判定（普通図柄の抽選）に使用するものである。
【００７２】
Ｓ２０に続く大当り判定用乱数の更新処理（Ｓ２５）は、初期値乱数１、初期値乱数２の更新処理と同様に処理を実行する毎に＋１するインクリメント処理であるが、最大値である「３９６６」に至ると次回の処理では、そのときの前記初期値乱数１の値を初期値（以下、「更新初期値」という。）とし、更に割り込み毎に＋１する処理を続行して更新初期値より「１」少ない値（以下、「更新最大値」という。）に至れば次回の処理では、更にそのときの初期値乱数１の値を初期値とし「０」〜「３９６６」までの３９６７個の整数値を繰り返し作成する。
【００７３】
即ち、割り込み処理毎に＋１し、乱数を構成する要素を「０」〜「３９６６」までの整数値とすることは前記初期値乱数１と何等変わることはないが、今回の更新最大値に至れば次回の割り込み処理ではそのときの更新初期値を初期値とし更新最大値に至るまで割り込み毎に＋１し、更に次回の更新初期値を初期値とする構成である。これにより、大当り判定用乱数は、乱数を構成する要素を「０」〜「３９６６」までの３９６７個の整数値とし、割り込み処理毎に＋１するが、更新最大値に至れば、次回の割り込み処理ではそのときの初期値乱数１により決定される値に変更されるので、当否乱数の値を予測不可能にすることができる。また、更新初期値と更新最大値とにより決定される乱数の構成要素は従来の当否乱数と同じ「０」〜「３９６６」の３９６７個の整数値と何等変わることがないので乱数を構成する要素の出現率を均一にしている。
【００７４】
尚、図６に記載するように通常確率状態時の当選することとなる値の数は１０で、値は「７７５」〜「７７７」、「１７７５」〜「１７７７」、「２７７４」〜「２７７７」であり、高確率状態時の当選することとなる値の数は１００で、値は「７７５」〜「７７７」、「１３１４」〜「１３３３」、「１７５８」〜「１７７７」、「２７５８」〜「２７７７」、「３３１４」〜「３３３３」である。
【００７５】
Ｓ２５に続く当り判定用乱数の更新処理（Ｓ３０）は、初期値乱数１、初期値乱数２の更新処理と同様に処理を実行する毎に＋１するインクリメント処理であるが、最大値である「９９６」に至ると次回の処理では、そのときの前記初期値乱数２の値を初期値（以下、「更新初期値」という。）とし、更に割り込み毎に＋１する処理を続行して更新初期値より「１」少ない値（以下、「更新最大値」という。）に至れば次回の処理では、更にそのときの初期値乱数２の値を初期値とし「０」〜「９９６」までの９９７個の整数値を繰り返し作成する。
【００７６】
即ち、割り込み処理毎に＋１し、乱数を構成する要素を「０」〜「９９６」までの整数値とすることは前記初期値乱数２と何等変わることはないが、今回の更新最大値に至れば次回の割り込み処理ではそのときの更新初期値を初期値とし更新最大値に至るまで割り込み毎に＋１し、更に次回の更新初期値を初期値とする構成である。これにより、当り判定用乱数は、乱数を構成する要素を「０」〜「９９６」までの９９７個の整数値とし、割り込み処理毎に＋１するが、更新最大値に至れば、次回の割り込み処理ではそのときの初期値乱数１により決定される値に変更されるので、当否乱数の値を予測不可能にすることができる。また、更新初期値と更新最大値とにより決定される乱数の構成要素は従来の当否乱数と同じ「０」〜「９９６」の９９７個の整数値と何等変わることがないので乱数を構成する要素の出現率を均一にしている。尚、図６に記載するように通常確率状態時の当選することとなる値の数は１０で、値は「３１」〜「４０」であり、高確率状態時の当選することとなる値の数は９６６で、値は「３１」〜「９９６」である。
【００７７】
大当り図柄決定用乱数の更新処理（Ｓ３５）は「０」〜「１９」の２０個の整数を繰り返し作成するカウンタとして構成され、本処理毎に＋１され最大値を超えると初期値である「０」に戻る構成になっており、この２０個の乱数値により２０種類の大当り図柄より１つの大当り図柄が決定され、第１特別図柄、第２特別図柄共に同じ大当り図柄を使用する構成になっている。
【００７８】
第１特別図柄始動口３１に入球したことに起因して行われる大当り抽選（遊技者にとって有利な特別遊技状態を発生させるか否かを抽選する）で大当りと判断される確率と第２特別図柄始動口３２に入球したことに起因して行われる大当り抽選で大当りと判断される確率は通常遊技状態では１／３９６.７、高確率遊技状態では１／  ３９．６７で同じであるが、大当りした際に行われる大当り遊技の内容が第１特別図柄始動口１３に入球して大当りになった場合よりも第２特別図柄始動口１４に入球して大当りになった場合のほうが、大当り遊技中に多く賞球が得られる大当りになる確率が高くなっている。なお、確変大当りになる確率は第１特別図柄始動口３１に入球して抽選が行われた場合と第２特別図柄始動口３２に入球して抽選が行われた場合とで変化はない（同じ確率である）。
【００７９】
小当り図柄決定用乱数の更新処理（Ｓ４０）は「０」〜「９」の１０個の整数を繰り返し作成するカウンタとして構成され、本処理毎に＋１されて最大値を超えると初期値である「０」に戻る。小当りを示す図柄は２種類であり、小当り図柄決定用乱数によって、どちらの小当りを示す図柄を選択するか決定する。尚、小当りを示す図柄は、第１特別図柄、第２特別図柄とも同じになっている。また、ハズレを示す特別図柄も第１特別図柄、第２特別図柄で同じになっており、ハズレを示す図柄は「−−」の１種類になっているので外れ図柄を決定するための乱数は備えていない。また、普通図柄の当り図柄もハズレ図柄も共に１種類しか存在しないので当り図柄又はハズレ図柄を決定するための乱数は備えていない。
【００８０】
リーチ判定用乱数の更新処理（Ｓ４５）は「０」〜「２２８」の２２９個の整数を繰り返し作成するカウンタとして構成され、本処理毎で＋１され最大値を超えると初期値である「０」に戻る。なお、通常確率状態時で変動時間短縮機能未作動時に当選する値の数は２１で、値は「０」〜「２０」であり、通常確率状態時で変動時間短縮機能作動時に当選する値の数は５で、値は「０」〜「４」であり、高確率状態時に当選する値の数は６で、値は「０」〜「５」である。
【００８１】
変動パターン決定用乱数の更新処理（Ｓ５０）は、「０」〜「１０２０」の１０２１個の整数を繰り返し作成するカウンタとして構成され、本処理毎で＋１され最大値を超えると初期値である「０」に戻る。尚、大当り判定用乱数、大当り図柄決定用乱数、小当り図柄決定用乱数、リーチ判定用乱数、変動パターン決定用乱数は第１特別図柄始動口３１又は第２特別図柄始動口３２に遊技球が入球することで抽出され、当り判定用乱数は普通図柄作動ゲート４２を遊技球が通過することで抽出される。
【００８２】
続く入賞確認処理（Ｓ５５）では、遊技領域２６に設けられた各入賞口へ遊技球が入球したか否か及び普通図柄作動ゲート４２を遊技球が通過したか否かを確認する処理である。尚、第１特別図柄始動口３１、第２特別図柄始動口３２への遊技球の入球の確認については、後述する始動入賞確認処理で説明する。
【００８３】
続いては、大当りか否かを判定する条件成立判定手段としての特図当否判定処理（Ｓ６０）、普通図柄抽選が当りか否かを判定する普図当否判定処理（Ｓ６５）行う。この特図当否判定処理（Ｓ６０）、普図当否判定処理（Ｓ６５）が終了すると、画像出力処理等の各出力処理（Ｓ７０）が実行される。
【００８４】
各出力処理（Ｓ７０）では、遊技の進行に応じて主制御装置５０は演出図柄制御装置５４ａ、払出制御装置５１、発射制御装置５４、サブ統合制御装置５３、大入賞口ソレノイド等に対して各々出力処理を実行する。即ち、入賞確認処理（Ｓ５５）により遊技盤８上の各入賞口に遊技球の入賞があることが検知されたときには賞球としての遊技球を払い出すべく払出制御装置５１に賞球データを出力する処理を、遊技状態に対応したサウンドデータをサブ統合制御装置５３に出力する処理を、パチンコ機１に異常があるときにはエラー中であることを報知すべく演出図柄制御装置５４ａにエラー信号を出力する処理を各々実行する。
【００８５】
続く不正監視処理（Ｓ７５）は、一般入賞口に対する不正が行われていないか監視する処理であり、所定時間内における入賞口への遊技球の入球が予め決定された規定数よりも多いか否かを判断して、多かった場合には不正と判断され、その旨を報知する処理である。つまり、異常判断手段は、主制御装置５０に設けている。
【００８６】
本処理に続く前述の残余処理は、初期値乱数１の更新処理（Ｓ８０）、初期値乱数２の更新処理（Ｓ８５）から構成されるが、各々前述したＳ１５、Ｓ２０の処理と全く同じ処理である。この処理は無限ループを形成し、次の割り込みが実行されるまで、時間の許される限り繰り返し実行される。前述したＳ１０〜Ｓ７５までの本処理を実行するのに必要とされる時間は、大当り処理を実行（特別遊技の実行）するか否か、特別図柄（第１又は第２）の表示態様の相違等により割り込み毎に異なる。この結果、残余処理を実行する回数も割り込み毎に異なり、割り込み処理が１回実行されることにより初期値乱数１、初期値乱数２の更新される（加算される）値も一律ではなくなる。これにより、初期値乱数１が大当り判定用乱数と、初期値乱数２が当り判定用乱数と同期する可能性はなくなる。尚、本実施形態においては、大当り判定用乱数の更新は初期値乱数１の値により変更され、当り判定用乱数は初期値乱数２の値により変更される構成なので同期の虞は全くない。
【００８７】
次に図７のフローチャートを用いて、始動入賞確認処理を説明する。始動入賞確認処理が開始されると、第１始動口スイッチ３１ａが遊技球を検出したか否か判定する(Ｓ１００)。肯定判定であれば(Ｓ１００：ｙｅｓ）、主制御装置５０に既に格納されている第１保留記憶数が最大値(本願発明では４個)未満であるか否か判定する(Ｓ１０５)。肯定判定であれば(Ｓ１０５：ｙｅｓ）、大当り判定用乱数、大当り図柄決定用乱数、リーチ決定用乱数、変動パターン決定用乱数を抽出し、第１保留記憶として主制御装置５０の保留記憶数に応じた記憶領域に記憶する (Ｓ１１０)。
【００８８】
続いて、時短フラグが０であるか否か判定する(Ｓ１１５)。時短フラグとは、主制御装置５０にて記憶される値であり、時短フラグが０のときは、前述した時短状態ではないことを、時短フラグが１のときは、時短状態であることを主制御装置５０が判断するための値である。本実施例では、始動入賞確認処理において、第１始動口３１、第２始動口３２への遊技球入球時に取得した各種乱数を当否判定に先駆けて判定（先読み判定）する構成となっており、この先読み判定は、確率変動状態を含む時短状態を除く状態、即ち大当り確率が通常確率状態で時短状態以外で行われる。
【００８９】
Ｓ１１５が肯定判定であれば(Ｓ１１５：ｙｅｓ）、最も新しく記憶された第１保留記憶を読み出し、大当り判定用乱数が通常確率時の大当り判定用テーブルと異なるか否か判定する(Ｓ１２０)。肯定判定（大当り値とは異なる）であれば(Ｓ１２０：ｙｅｓ）、リーチ決定用乱数と変動パターン決定用乱数によって通常時にスーパーリーチとなる値か否か（双方の値が各々特定の値か否か）判定する(Ｓ１２５)。Ｓ１２５が肯定判定（スーパーリーチとなる）か(Ｓ１２５：ｙｅｓ）、Ｓ１２０が否定判定（大当り判定用乱数が大当り値と一致）であれば(Ｓ１２０：ｎｏ）、先読み演出許可信号をサブ統合制御装置５３に送信する(Ｓ１３０)。
【００９０】
続いて、Ｓ１３０の処理の後か、Ｓ１１５の否定判定（Ｓ１１５：ｎｏ）の後か、Ｓ１２５の否定判定（非スーパーリーチ）(Ｓ１２５：ｎｏ）の後、第１特別図柄の保留記憶数を示す保留記憶数指示信号をサブ統合制御装置５３に送信する(Ｓ１３５)。
【００９１】
Ｓ１３５の処理が終わるか、Ｓ１００で否定判定（Ｓ１００：ｎｏ）か又はＳ１０５で否定判定（Ｓ１０５：ｎｏ）の場合、第２始動口スイッチ３２ａが遊技球を検出したか否か判定する(Ｓ１４０)。肯定判定であれば(Ｓ１４０：ｙｅｓ）、主制御装置５０に既に格納されている第２保留記憶数が最大値(＝４個)未満であるか否か判定する(Ｓ１４５)。肯定判定であれば(Ｓ１４５：ｙｅｓ）、大当り判定用乱数、大当り図柄決定用乱数、リーチ決定用乱数、変動パターン決定用乱数を抽出し第２保留記憶として主制御装置５０の保留記憶数応じた記憶領域に記憶する (Ｓ１５０)。
【００９２】
続いて、時短フラグが０であるか否か判定する(Ｓ１５５)。肯定判定であれば(Ｓ１５５：ｙｅｓ）、Ｓ１２０、Ｓ１２５と同じ先読み判定処理を行う（Ｓ１６０）。Ｓ１６０の処理の後か、Ｓ１５５が否定判定（時短状態）の場合(Ｓ１５５：ｎｏ）、第２特別図柄の保留記憶数を示す保留記憶数指示信号をサブ統合制御装置５３に送信する(Ｓ１６５)。Ｓ１６５の処理が終わるか、Ｓ１４０で否定判定（Ｓ１４０：ｎｏ）か又はＳ１４５で否定判定（Ｓ１４５：ｎｏ）の場合、リターンとなる。
【００９３】
本実施例の遊技仕様では、第２特別図柄の先読み判定結果を基に連続演出は実行されないため、Ｓ１６０の処理で得た結果をサブ統合制御装置５３に送信しないが、先読み演出を実施する構成（例えば保留記憶表示で予告演出を行う）とし、先読み判定結果をサブ統合制御装置５３に送信する構成も考えられる。また、Ｓ１２０、Ｓ１２５の判定の基となる情報（乱数値）を毎回サブ統合制御装置５３に送信し、Ｓ１２０、Ｓ１２５の判定をサブ統合制御装置５３で実行する構成も考えられる。また、第２特別図柄でも先読み演出を行う場合には、先読み演出許可信号は第１特別図柄の乱数か第２特別図柄の乱数かを示す内容を含む構成となる。
【００９４】
次に図８、９、１０を用いて主制御装置５０が行う特図当否判定処理を説明する。この特図当否判定処理は、本願発明における特別遊技抽選手段と遊技状態決定手段とを含む処理となる。図８に示す特図当否判定処理が開始されると、まず条件装置が未作動か否か判定する（Ｓ２００）。この判定は大当りフラグに基づいて行われる。大当りフラグとは、特別図柄の抽選で当選した場合（取得した大当り判定用乱数の値が予め定められた所定の値と一致していた場合）に成立するフラグである。Ｓ２００が肯定判定であれば（Ｓ２００:ｙｅｓ）、特別図柄が変動停止中であるか（Ｓ２０５）、確定図柄が未表示中（非確定表示期間）であるか（Ｓ２１０）の判定を行う。
【００９５】
Ｓ２０５の判定及びＳ２１０の判定は、第１特別図柄、第２特別図柄の両方について行われる。つまり、第１特別図柄、第２特別図柄のいずれかでも変動中あるいは確定表示中であれば、このＳ２０５、Ｓ２１０のいずれかで否定判定となる。これは、本実施例の構成がどちらか一方の特別図柄が変動中であった場合には他方の特別図柄は変動しない（当否判定を行わない）構成であるためである。
【００９６】
Ｓ２０５、Ｓ２１０ともに肯定判定ならば（Ｓ２０５：ｙｅｓ、Ｓ２１０：ｙｅｓ）、第２特別図柄の保留記憶が存在するか否か（記憶されているか否か）判定し（Ｓ２１５）、否定判定なら（Ｓ２１５：ｎｏ）、第１特別図柄の保留記憶が存在するか否か（記憶されているか否か）判定する（Ｓ２２０）。Ｓ２１５が肯定判定なら（Ｓ２１５：ｙｅｓ）、第２特別図柄の保留として記憶されている最も古い保留記憶を読み出し、Ｓ２２０が肯定判定なら（Ｓ２２０：ｙｅｓ）、第１特別図柄の保留として記憶されている最も古い保留記憶を読み出し、他に保留記憶が残っている場合は記憶領域のシフト処理を行う（Ｓ２２５）。この処理によって他に保留記憶がある場合はその時点で最も古い保留記憶が、最も古い保留記憶用の記憶領域に格納されることになる。
【００９７】
Ｓ２２５の処理に続いては、確変フラグが０か否かの判定を行う（Ｓ２３０）。確変フラグとは、主制御装置５０にて記憶される値であり、確変フラグの値が「０」のときは、大当り確率が通常確率状態中（低確率）であることを、確変フラグの値が「１」のときは、確率変動状態中（高確率）であることを主制御装置５０が判断するための値である。
【００９８】
Ｓ２３０が肯定判定なら（Ｓ２３０：ｙｅｓ）、読み出した大当り判定用乱数の値を用いて前述した１０個の当り値が設定されている通常確率判定用テーブルにて抽選を行う通常テーブル判定処理を行い（Ｓ２３５）、否定判定なら（Ｓ２３０：ｎｏ）、読み出した大当り判定用乱数の値を用いて前述した１００個の当り値が設定されている高確率判定用テーブルにて抽選を行う確変テーブル判定処理を行う（Ｓ２４０）。なお、Ｓ２３５、Ｓ２４０の処理では、読み出した大当り判定用乱数値が大当りとなる値でなかった場合には、小当りになる値か否かの抽選が行われる（前述した６１個の当り値が設定された小当り判定用テーブルで判定）。小当り判定用テーブルは一つしかなく、通常確率遊技状態でも高確率遊技状態でも同じテーブルを使用する。つまり、小当りになる確率は常に一定になっている。なお、通常テーブル判定処理（Ｓ２３５）と確変テーブル判定処理（Ｓ２４０）が本願発明における特別遊技抽選手段に該当する。
【００９９】
続いてＳ２３５又はＳ２４０の判定処理の結果が大当りか否かを判定する（Ｓ２４５）。Ｓ２４５が肯定判定なら（Ｓ２４５：ｙｅｓ）、読み出した大当り図柄決定用乱数に基づいて、大当り図柄の種類と、大当り遊技の種類（大入賞口３３ａの開放回数、開放秒数及び各インターバル時間）と、大当り遊技終了後の遊技状態とを決定する（Ｓ２５０）。従って、大当り図柄決定処理（Ｓ２５０）が、本願発明における遊技状態決定手段に該当する。
【０１００】
Ｓ２５０に続いては、上記した当否判定結果と読み出した変動パターン決定用乱数の値及び現在の遊技状態（高確率遊技状態、時間短縮状態、通常確率非時短状態）に応じて変動パターン（変動時間）を決定する（Ｓ２５５）。
【０１０１】
Ｓ２４５が否定判定なら（Ｓ２４５：ｎｏ）、Ｓ２３５又はＳ２４０の判定処理において小当り判定用の当り値と一致していたか否かを判定する（Ｓ２６０）。Ｓ２６０が肯定判定なら（Ｓ２６０：ｙｅｓ）、読み出した小当り図柄決定用乱数の値に基づいて小当り図柄を決定し（Ｓ２６５）、当否判定結果と読み出した変動パターン決定用乱数の値及び現在の遊技状態（高確率遊技状態、時間短縮状態、通常確率非時短状態）に応じて変動パターン（変動時間）を決定する（Ｓ２５５）。Ｓ２６０が否定判定なら（Ｓ２６０：ｎｏ）、ハズレ図柄を決定し（Ｓ２７０）、読み出したリーチ判定用乱数、変動パターン決定用乱数の値及び現在の遊技状態（高確率遊技状態、時間短縮状態、通常確率非時短状態）に応じて変動パターン（変動時間）を決定する（Ｓ２５５）。なお、前述したようにハズレ図柄は１種類しかなく、ハズレの場合には必ずその１種類のハズレ図柄が選択される。
【０１０２】
Ｓ２５５の処理に続いては、上述の抽選結果を示すデータ（大当り図柄の種類、大当り遊技終了後の遊技状態、小当りの有り無し、ハズレの種類（リーチの有り無し）、変動時間など）を含んだ変動開始コマンド（変動パターン信号）をサブ統合制御装置５３に出力するとともに、第１特別図柄表示装置２９又は第２特別図柄表示装置３０において特別図柄を変動表示させる処理を行い（Ｓ２７５）、Ｓ２７５の処理後、又はＳ２００、Ｓ２２０が否定判定なら（Ｓ２００：ｎｏ、Ｓ２２０：ｎｏ）、特別遊技処理に移行する。従って、サブ統合制御装置５３は変動開始コマンド（変動パターン信号）により、大当り図柄（大当り遊技の種類）、大当り遊技終了後の遊技状態、ハズレ図柄、リーチの有無、変動時間を把握することが出来る。
【０１０３】
変動開始コマンド（変動パターン信号）を受信したサブ統合装置５３は、特別図柄の確定図柄（当り図柄、ハズレ図柄）、変動時間に応じて擬似（演出）図柄の種類、変動演出の種類を決定し、該決定結果を演出図柄制御装置５４ａに送信し、演出図柄制御装置５４ａはサブ統合制御装置５３の決定に従って演出図柄表示装置５４ｂにて擬似（演出）図柄の変動表示を行う。また、サブ統合制御装置５３による変動演出の決定は、主制御装置５０から送られてきた変動開始コマンドが示す変動時間と同じ演出時間である複数の演出表示（演出パターン）の中より１つの演出表示（演出パターン）を選択する構成になっている。なお、本実施例ではサブ統合制御装置５３が擬似（演出）図柄及び変動演出を決定する構成になっているがサブ統合制御装置５３ではなく同じサブ制御装置である演出図柄制御装置５４ａにて擬似（演出）図柄及び変動演出を決定する構成にしてもよい。
【０１０４】
図８に戻り、Ｓ２０５が否定判定ならば（Ｓ２０５：ｎｏ）、つまり特別図柄が変動中であった場合には、図９のフローチャートに進み、特図変動時間（Ｓ２５５で決定した変動パターンに基づく）を経過したか否かを判定する（Ｓ３００）。Ｓ３００が肯定判定なら（Ｓ３００：ｙｅｓ）、図柄停止コマンドをサブ統合制御装置５３に出力する図柄停止コマンド送信処理を行い、第１特別図柄表示装置２９又は第２特別図柄表示装置３０を制御してＳ２５０、Ｓ２６５又はＳ２７０にて決定した図柄を確定表示する（Ｓ３０５）。図柄停止コマンドを受信したサブ統合制御装置５３は演出図柄制御装置５４ａに予め決めておいた擬似（演出）図柄を確定表示させる指示信号を出力し、演出図柄制御装置５４ａは、その信号により演出図柄表示装置５４ｂを制御して擬似（演出）図柄を確定表示させる。これにより、特別図柄と擬似（演出）図柄の変動の開始と終了が同じタイミングになる（同期する）。
【０１０５】
Ｓ３０５の処理後は、確定表示させた特別図柄が大当りを示すものであるか否かを判定する（Ｓ３１０）。Ｓ３１０が肯定判定なら（Ｓ３１０：ｙｅｓ）、確定図柄表示設定処理（確定図柄で表示させておく時間の設定）を行い（Ｓ３１５）、大当りフラグが成立する条件装置作動開始処理を行い（Ｓ３２０）、確変フラグが１か否か（現在が高確率遊技状態であるか否か）を判定する（Ｓ３２５）。Ｓ３２５が肯定判定なら（Ｓ３２５：ｙｅｓ）、確変フラグと時短フラグに０をセットする処理を行う（Ｓ３３０）。Ｓ３２５が否定判定なら（Ｓ３２５：ｎｏ）、時短フラグが１か否か判定し（Ｓ３３５）、肯定判定なら（Ｓ３３５:ｙｅｓ）時短フラグに０をセットする（Ｓ３４０）。
【０１０６】
Ｓ３３０、Ｓ３４０の処理後、又はＳ３００、Ｓ３３５の否定判定（Ｓ３００：ｎｏ、Ｓ３３５：ｎｏ）の後は特別遊技処理に移行する。尚、本実施例では高確率遊技状態であれば必ず時短状態になっている構成であるため、Ｓ３２５の判定が肯定判判定なら確変フラグと時短フラグの両方を落す（０をセットする）構成になっている。また、本実施例では時短フラグが立つことで開放延長機能も作動し、時短フラグが落ちると開放延長機能も終了する構成となっている。従って、Ｓ３３０及びＳ３４０の処理で開放延長機能も終了する。また、本実施例では、大当り中は通常確率状態であると共に特別図柄の変動表示を実施しないため、Ｓ３３０、Ｓ３４０の処理を実施している。
【０１０７】
一方、Ｓ３１０が否定判定なら（Ｓ３１０：ｎｏ）、即ち確定表示した特別図柄が大当りを示すものでなかった場合、確定図柄表示設定処理（確定図柄の表示時間設定）を行い（Ｓ３４５）、時短フラグのみが１か否かを判定し（Ｓ３５０）、肯定判定なら（Ｓ３４５:ｙｅｓ）記憶されている時短回数から−１し（Ｓ３５５）、残りの時短回数が０か否か判定する（Ｓ３６０）。Ｓ３６０が肯定判定なら（Ｓ３６０:ｙｅｓ）、時短フラグに０をセットする。尚、Ｓ３５０の時短フラグのみ立っているか否かの判定は、確変フラグと時短フラグが立っていれば否定判定となり、時短フラグのみ立っていた場合に限り肯定判定となる判定処理である（確変状態であれば次回の大当りまで確変フラグと時短フラグが保持される）。Ｓ３６５の処理後及びＳ３５０又はＳ３６０が否定判定（Ｓ３５０：ｎｏ、Ｓ３６０：ｎｏ）なら、確定表示された特別図柄が小当り図柄を示すものか否かを判定する（Ｓ３７０）。肯定判定なら（Ｓ３７０：ｙｅｓ）、小当り遊技作動役物の作動開始を行う小当り遊技開始処理を行ない（Ｓ３７５）、Ｓ３７５の処理後、Ｓ３７０の否定判定後（Ｓ３７０：ｎｏ）は特別遊技処理に移行する。
【０１０８】
続いて、図８のＳ２１０が否定判定なら（Ｓ２１０：ＮＯ）、即ち特別図柄が確定表示中であった場合には、図１０のフローチャートに進み、Ｓ３１５又はＳ３４５で設定された確定表示時間が終了したか否かを判定する（Ｓ３８０）。否定判定なら（Ｓ３８０：ｎｏ）特別遊技処理に進み、肯定判定なら（Ｓ３８０:ＹＥＳ）、第１特別図柄表示装置２９又は第２特別図柄表示装置３０を制御して特別図柄の確定表示を終了させ、サブ統合制御装置５３に指示信号を送信して疑似（演出）図柄の確定表示を終了させる確定図柄表示終了処理を行い（Ｓ３８５）、特別遊技処理に進む。
【０１０９】
次に主制御装置５０が実行する特別遊技処理を、図１１、１２、１３に示すフローチャートを用いて説明する。特別遊技処理は大当り遊技の進行を制御する処理である。図１１に示すように特別遊技処理を開始すると、大当りフラグに基づいて条件装置が未作動か否かを判定する（Ｓ４００）。肯定判定なら（Ｓ４００:ｙｅｓ）、小当り遊技作動役物が作動中か否かを判定する（Ｓ４０５）。肯定判定なら（Ｓ４０５：ｙｅｓ）、小当り開始演出中であるか否かを判定し（Ｓ４１０）、肯定判定なら（Ｓ４１０：ｙｅｓ）、小当りの開始演出の終了時間か否かを判定し（Ｓ４１５）、肯定判定なら（Ｓ４１５：ｙｅｓ）、大入賞口３３ａを開放する大入賞口開放処理を行う（Ｓ４２０）。尚、本実施例での小当り遊技は、大入賞口３３ａの開放を０．５秒間行う構成になっている。Ｓ４２０の処理後及びＳ４００又は４１５が否定判定なら（Ｓ４００：ｎｏ、Ｓ４１５：ｎｏ）リターンに抜ける。
【０１１０】
Ｓ４１０が否定判定なら（Ｓ４１０：ｎｏ）、小当り動作中か否か（大入賞口３３ａが０．５秒の開放を行っているか否か）を判定し（Ｓ４２５）、肯定判定なら（Ｓ４２５:ＹＥＳ）、大入賞口への入賞球数が１０個未満か否かを判定し（Ｓ４３０）、肯定判定なら（Ｓ４３０:ｙｅｓ）開放してから０．５秒経過したか否かを判定する（Ｓ４３５）。肯定判定（Ｓ４３５：ｙｅｓ）又はＳ４３０が否定判定なら（Ｓ４３０:ｎｏ）、大入賞口３３ａを閉鎖する大入賞口閉鎖処理を行い（Ｓ４４０）、続いて小当り終了演出処理を行う（Ｓ４４５）。Ｓ４４５の後、又はＳ４３５が否定判定なら（Ｓ４３５：ｎｏ）リターンに抜ける。
【０１１１】
Ｓ４２５が否定判定、即ち小当り遊技中ではないなら（Ｓ４２５：ｎｏ）、小当り終了演出が終了する時間か否か判定し（Ｓ４５０）、肯定判定なら（Ｓ４５０：ｙｅｓ）、小当り遊技作動役物を終了させる小当り遊技終了処理を行なう（Ｓ４５５）。Ｓ４５５の処理後、又はＳ４５０が否定判定なら（Ｓ４５０：ｎｏ）リターンに抜ける。
【０１１２】
尚、本実施例では、小当り遊技での大入賞口３３ａの開放動作を１回の構成で説明したが複数回開放する構成としても良い。その場合は、Ｓ４２０（大入賞口開放処理）のところで開放回数を設定し、Ｓ４４０（大入賞口閉鎖処理）のところで設定された開放回数を減算し、０になったらＳ４４５（小当り終了演出処理）を行う構成が考えられる。  
【０１１３】
図１１のＳ４００が否定判定なら（Ｓ４００：ｎｏ）、即ち大当りフラグが立っていれば、図１２のフローチャートに進み、大入賞口３３ａが閉鎖中か否か判定し（Ｓ５００）、肯定判定なら（Ｓ５００：ｙｅｓ）、大当り遊技の開始演出中であるか否か判定する（Ｓ５０５）。肯定判定なら（Ｓ５０５:ｙｅｓ）、大当り遊技の開始演出が終了する時間か否かを判定し（Ｓ５１０）、肯定判定なら（Ｓ５１０：ｙｅｓ）、大入賞口３３ａを開放する大入賞口開放処理（Ｓ５１５）を行う。Ｓ５１５の処理後、又はＳ５１０が否定判定なら（Ｓ５１０:ｎｏ）リターンに抜ける。
【０１１４】
Ｓ５０５が否定判定なら（Ｓ５０５：ＮＯ）、即ち大当り遊技の開始演出中ではないなら、インターバル中か否か判定する（Ｓ５２０）。このインターバルとは、大入賞口３３ａが閉じている状態から開放されるまでの開放間の時間のことである。Ｓ５２０が肯定判定なら（Ｓ５２０:ｙｅｓ）、インターバルが終了する時間か否かを判定し（Ｓ５２５）、肯定判定なら（Ｓ５２５：ｙｅｓ）、大入賞口３３ａを開放する大入賞口開放処理を行う（Ｓ５３０）。Ｓ５３０の処理後、又はＳ５２５が否定判定なら（Ｓ５２５:ｎｏ）リターンに抜ける。
【０１１５】
Ｓ５２０が否定判定なら（Ｓ５２０：ｎｏ）、即ちインターバル中ではないなら、大当り遊技の終了演出中ではないか否かを判定し（Ｓ５３５）、肯定判定なら（Ｓ５３５：ｙｅｓ）、大当りになった図柄を記憶し（Ｓ５４０）、サブ統合装置５３に大当り開始演出を指示するコマンドを送信する大当り開始演出処理を行う（Ｓ５４５）。この大当り開始コマンドには、大当り図柄の種類を示す情報を含み、サブ統合制御装置５３は受信した開始コマンドが示す大当り図柄の種類から、開始する大当り遊技の内容と大当り遊技終了後の遊技状態が判断可能となっている。Ｓ５４５の処理後、又はＳ５４０が否定判定なら（Ｓ５４０:ｎｏ）リターンに抜ける。
【０１１６】
次にＳ５００が否定判定なら（Ｓ５００：ｎｏ）、即ち、大入賞口３３ａが開放中であった場合には、図１３に示したフローチャートに進み大入賞口３３ａへの遊技球の入球数が規定数（１０個）未満か否かを判定し（Ｓ５５０）、肯定判定なら（Ｓ５５０：ｙｅｓ）、大入賞口３３ａの最大開放時間が経過したか否かを判定し（Ｓ５５５）、否定判定なら（Ｓ５５５：ｎｏ）リターンに抜ける。なお、主制御装置５０は大当り遊技が開始される以前に実行する大当り遊技の種類（Ｓ２５０における設定内容）を把握し、その大当り遊技の種類に応じて大当り遊技の内容（大入賞口３３ａの開放回数及び開放時間、開始インターバル時間、終了インターバル時間、開放間インターバル時間等）を設定する構成となっている。
【０１１７】
Ｓ５５０が否定判定（Ｓ５５０:ｎｏ）又は、Ｓ５５５が肯定判定なら（Ｓ５５５:ｙｅｓ）大入賞口３３ａを閉鎖する大入賞口閉鎖処理を行う（Ｓ５６０）。Ｓ５６０の処理後は、終了したラウンドが最終ラウンドであったか否かを判定し（Ｓ５６５）、否定判定なら（Ｓ５６５：ｎｏ）、インターバル処理を行なって（Ｓ６０５）リターンに抜ける。
【０１１８】
Ｓ５６５が肯定判定なら（Ｓ５６５:ｙｅｓ）、即ち、終了したラウンドが最終ラウンドなら、サブ統合制御装置５３に大当り終了演出を指示するコマンドを送信する大当り終了演出処理を行う（Ｓ５７０）。Ｓ５７０の大当り終了演出処理は、Ｓ５４５の大当り開始演出処理と同様に、主制御装置５０からサブ統合制御装置５３に大当り終了演出指示コマンドを送信することによって、パチンコ機に設けられたランプ、ＬＥＤや演出図柄表示装置５４ｂにおいて大当りの終了演出を行うための処理である。
【０１１９】
Ｓ５７０に続いて条件装置停止処理を行い（Ｓ５７５）、大当りした図柄（特別図柄）が大当り遊技終了後に高確率遊技状態になる図柄であるか否かを判定し（Ｓ５８０）、肯定判定なら（Ｓ５８０:ｙｅｓ）、確変フラグと時短フラグに１をセットし（開放延長機能も作動する）（Ｓ５８５）、否定判定なら（Ｓ５８０：ｎｏ）、時短フラグのみに１をセットする（開放延長機能も作動する）（Ｓ５９０）。Ｓ５９０ではあわせて時短回数カウンタの値を１００にセットする処理も行われる。Ｓ５８５又はＳ５９０の処理後はサブ統合制御装置５３に大当り終了コマンドを送信し（Ｓ６００）、リターンに抜ける。
【０１２０】
次にサブ統合制御装置５３が実施する処理について説明する。図１４に示す保留記憶数指示信号受信処理は、主制御装置５０が送信した第１保留記憶数指示信号（図７、Ｓ１３５）と第２保留記憶数指示信号（図７、Ｓ１６５）に基づく処理である。保留球数受信処理を開始すると、主制御装置５０から第１保留記憶指示信号又は第２保留記憶指示信号を受信したか否かを判定する（Ｓ６５０）。肯定判定であれば（Ｓ６５０：ｙｅｓ）、第１保留カウンタ又は第２保留カウンタの値に１を加え（Ｓ６５５）、１を加えた値に該当する表示態様を指定する信号を演出図柄制御装置５４ａに送信する（Ｓ６６０）。Ｓ６６０の処理の後、又はＳ６５０が否定判定なら（Ｓ６５０：ｎｏ）リターンに抜ける。
【０１２１】
保留カウンタは、演出図柄表示装置５４ｂに表示する保留記憶数を示すカウンタであり、新たな変動表示が開始する毎に−１のデクリメント処理が行われる。この処理によって演出図柄表示装置５４ｂには、主制御装置５０が備える保留記憶手段が記憶する保留記憶の数を適時に表示することが可能となる。尚、サブ統合制御装置５３と演出図柄制御装置５４ａが統合された構成の場合はＳ６６０（保留球数表示信号送信処理）をそのまま保留球数表示処理とすればよい。
【０１２２】
次にサブ統合制御装置５３が実行する、変動開始コマンド受信処理を図１５に示したフローチャートを用いて説明する。変動開始コマンド受信処理を開始すると、主制御装置５０から変動開始コマンドを受信したか否か判定し（Ｓ６８０）、否定判定なら（Ｓ６８０：ｎｏ）リターンし、肯定判定なら（Ｓ６８０：ｙｅｓ）、演出選択用の振分乱数を抽出し（Ｓ６８５）、主制御装置５０から受信した変動開始コマンドの内容（変動時間）と抽出した振分乱数の値に応じて、サブ統合制御装置５３が記憶する複数の演出（擬似）図柄の変動態様の中から演出図柄表示装置５４ｂに表示する態様を選択する処理を行い（Ｓ６９０）、選択した演出図柄の変動態様を開始する指示信号を演出図柄制御装置５４ａに送信すると共に、保留カウンタのデクリメント処理を行い（Ｓ６９５）リターンする。
【０１２３】
次に、サブ統合制御装置５３が実行する、大当り開始コマンド受信処理を図１６に示すフローチャートを用いて説明する。この大当り開始コマンド受信処理は、主制御装置５０から受信した大当り開始コマンドの内容と、受信時の遊技状態と、遊技ボタン１４の操作記憶の有無とに応じて、演出図柄表示装置５４ｂに表示する大当り演出の種類をサブ統合制御装置５３が記憶する複数の大当り演出の中から選択する処理となり、本願発明における敵キャラクタ選択手段と敵キャラクタ選択確率変更手段とを含む処理となる。
【０１２４】
大当り開始コマンド受信処理を開始すると、主制御装置５０から大当り開始コマンドを受信したか否か判定し（Ｓ７００）、否定判定なら（Ｓ７００：ｎｏ）リターンに抜け、肯定判定なら（Ｓ７００：ｙｅｓ）、大当り演出選択用の振分乱数を抽出し（Ｓ７０５）当該処理時の遊技状態が確率変動状態でも時短状態でもない通常遊技状態（通常確率非時短状態）か否か判定する（Ｓ７１０）。肯定判定なら（Ｓ７１０：ｙｅｓ）、受信した大当たり開始コマンドの内容から判断可能な大当り遊技終了後の遊技状態を参照し（Ｓ７３５）、対戦相手となる敵キャラクタが毎回同一で固定された固定バトル（対戦キャラクタは後述するキャラクタｊ）を選択すると共に、大当り演出の内容を選択する（Ｓ７１５）。
【０１２５】
Ｓ７１０が否定判定、即ち処理時の遊技状態が確率変動状態若しくは通常確率状態でも時短状態であれば、前回の大当り遊技中のバトル演出（固定バトル演出、敵キャラクタ選択バトルの双方を含む）に応じて遊技ボタン１４の操作が行われたか否かを判断可能とする、遊技ボタン１４の操作記憶があるか否か判定する（Ｓ７２０）。肯定判定なら、即ち前回のバトル演出中に遊技ボタン１４の操作が行われていれば（Ｓ７２０：ｙｅｓ）、後述する第１選択確率を選択し（Ｓ７２５）、受信した大当たり開始コマンドから当該大当り遊技終了後の遊技状態を参照し（Ｓ７３５）、Ｓ７０５で抽出した振分乱数と第１選択確率とを用いてバトル演出で対戦する敵キャラクタを選択すると共に大当り演出内容を選択し（Ｓ７４０）、Ｓ７４５に進む。
【０１２６】
Ｓ７２０が否定判定なら、即ち前回のバトル演出中に遊技ボタン１４の操作が行われていなければ（Ｓ７２０：ｎｏ）、後述する第２選択確率を選択し（Ｓ７３０）、受信した大当たり開始コマンドから当該大当り遊技終了後の遊技状態を参照し（Ｓ７３５）、Ｓ７０５で抽出した振分乱数と第２選択確率とを用いてバトル演出で対戦する敵キャラクタを選択すると共に大当り演出内容を選択し（Ｓ７４０）、Ｓ７５０に進む。
【０１２７】
Ｓ７１５又はＳ７２０の肯定判定を経てのＳ７４０に続いては、遊技ボタン１４の操作記憶を消去する（Ｓ７４５）。Ｓ７４５又はＳ７２０の否定判定を経てのＳ７４０に続いては、上記処理によって選択された大当り演出を開始する指示信号を演出図柄制御装置５４ａに送信して（Ｓ７５０）リターンする。
【０１２８】
上記した大当り開始コマンド受信処理が、本願発明における敵キャラクタ選択手段に該当し、Ｓ７２０が本願発明における操作結果記憶手段の記憶内容を基にした判断処理であり、Ｓ７２０、Ｓ７２５、Ｓ７３０の構成が敵キャラクタ選択確率変更手段に該当する。
【０１２９】
上記処理によって、通常確率非時短状態以外での大当り時、即ち、１回の大当りの生起を契機として遊技者に有利な遊技状態（時短状態又は確率変動状態）が継続している状態において大当たりが生起すると、前回（直近）の大当り時（勝負演出時）に遊技ボタン１４が操作されたか否か（操作した記憶が残っているか否か）に応じて勝負演出で対戦する敵キャラクタの選択確率が変化する構成となっている。
【０１３０】
上記構成に加え、通常確率非時短状態から大当りが生起した場合は、固定バトル大当り演出として、対戦する敵キャラクタが毎回同一の演出を実施する。このような構成にすることで、従来なら、不特定多数の遊技者が遊技を行うパチンコ遊技機において、過去の遊技履歴によって遊技状態や遊技演出を変更する構成であると、前の遊技者の遊技の仕方によっては、新たに遊技を行う遊技者は自分の好みのとは合わない状態で遊技を行わなければならない場合が出てくるが、通常確率非時短状態で生起した大当たりは毎回同じ条件である本実施例の構成では、自分が行った行動により、自分がこれから行う遊技状態は変化するが、自分が行った行動により他の人がこれから行う遊技状態には影響を及ぼさない。
【０１３１】
また、本実施例では、全ての大当り演出において敵キャラクタとの勝負演出を行い勝負の結果により大当り遊技終了後の遊技状態を示唆したが、全ての大当り演出で勝負演出を行わない構成も考えられる。この場合、例えば、大当り生起時に演出図柄表示装置５４ｂに表示する演出図柄に、大当り遊技終了後の遊技状態が判断可能な態様と判断不可能な態様を備え、判断不可能な態様の場合に勝負演出を実施して大当り遊技終了後の遊技状態を示唆する構成が考えられる。
【０１３２】
本実施例においては、大当り開始コマンドの受信を契機に大当り遊技中の演出内容を選択する構成としたが、主制御装置５０が送信する大当りを指示する変動開始コマンド（図８、Ｓ２７５）の受信を契機に大当り遊技中の演出内容を選択する構成も考えられる。この場合の変動開始コマンドは、大当り図柄の種類を示す情報を含むため、サブ統合制御装置５３が大当り遊技終了後の遊技状態を判断することが可能となる。
【０１３３】
次に、サブ統合制御装置５３が実行する、操作信号受信処理を図１７に示すフローチャートを用いて説明する。この操作信号受信処理は、大当り遊技中の所定ラウンドで行われる勝負演出時の遊技ボタン１４の操作有効期間において、遊技ボタン１４の操作に応じて演出図柄表示装置５４ｂに表示中の勝負演出の表示態様を変化させる処理となり、本願発明における操作結果記憶手段を含む処理となる。
【０１３４】
操作信号受信処理を開始すると、遊技ボタン１４の操作期間か否か判定し（Ｓ８００）、否定判定なら（Ｓ８００：ｎｏ）リターンする。肯定判定なら（Ｓ８００:ｙｅｓ）、操作期間が経過したか否か判定し（Ｓ８０５）、否定判定なら（Ｓ８０５：ｎｏ）、遊技者が遊技ボタン１４を操作したことを示す操作信号を受信したか否か判定する（Ｓ８１０）。否定判定なら（Ｓ８１０：ｎｏ）リターンに抜け、肯定判定なら（Ｓ８１０:ｙｅｓ）、遊技ボタン１４の操作記憶がないか否か判定し（Ｓ８１５）、肯定判定なら（Ｓ８１５:ｙｅｓ）、操作記憶領域に遊技ボタン１４の操作を記憶する（Ｓ８２０）。この処理が、本願発明における操作結果記憶手段に該当する。
【０１３５】
Ｓ８２０又はＳ８１５の否定判定（Ｓ８１５：ｎｏ）に続いては、操作カウンタの値に＋１するインクリメント処理を行う（Ｓ８２５）。操作カウンタは、操作期間中に遊技ボタン１４が操作された回数を計数する装置であり、この操作カウンタを本願発明における操作結果記憶手段としてもよい。また、この操作カウンタが計数可能な上限値は、操作期間内において実際に遊技者が遊技ボタン１４の操作が可能な回数以上に設定されている（例えばＦＦ（ｈ））。
【０１３６】
Ｓ８２５に続いては、操作カウンタの値が４よりも大きいか否か判定する（Ｓ８３０）。本実施例では遊技ボタン１４を用いる勝負演出において、５回分の操作に応じた演出変化が行われた場合に、敵キャラクタに勝利する（又は引き分ける）演出を行う設定となっているが（図２２Ａ-ｅ、図２４Ａ-ｍ参照）、当然この回数に限るわけではなく、乱数を用いて大当り遊技ごとに上限回数を設定する構成も考えられる。
【０１３７】
Ｓ８３０が肯定判定なら（Ｓ８３０：ｙｅｓ）、Ｓ７１５又はＳ７４０で選択設定した大当り演出の内容を参照し（Ｓ８３５）、当該操作期間が、勝ち又は引分け演出の可能期間か否か判定する（Ｓ８４０）。この判定は、本実施例では遊技ボタン１４を用いた勝負演出を３回又は２回実施するため、Ｓ８３５で参照した演出内容に基づいて、処理中の大当りラウンド（当該操作期間）が、大当り終了後の遊技状態を最終的に報知する演出変化を実施するラウンドか否かを判定するものである。否定判定なら（Ｓ８４０：ｎｏ）、そのままリターンに抜ける。従って、当該操作期間が、勝ち又は引分け演出の可能期間でなければ、操作期間中に遊技ボタン１４を５回以上何回操作しても演出に変化は無い。この勝ち又は引分け演出が不可能であるという判定は、大当り遊技終了後の遊技状態が時短状態である場合も含まれる。
【０１３８】
Ｓ８４０が肯定判定なら（Ｓ８４０：ｙｅｓ）、確変報知演出を実施する指示信号を演出図柄制御装置５４ａに送信し（Ｓ８４５）、操作カウンタの値をクリアし（Ｓ８６０）、遊技ボタン演出期間の終了処理を行い（Ｓ８６５）リターンする。Ｓ８３０が否定判定なら（Ｓ８３０：ｎｏ）、味方キャラクタの状態目安を変化させる演出を指示する信号を演出図柄制御装置５４ａに送信し（Ｓ８６５）リターンし、Ｓ８０５が否定判定なら（Ｓ８０５：ｎｏ）、味方キャラクタが負ける演出を指示する信号を演出図柄制御装置５４ａに送信し（Ｓ８５０）、Ｓ８６０に進む。Ｓ８５０によって負け演出が行われたとしても、全ての勝負演出（報知演出実施ラウンド）が終了していない状態では、時短状態（第１遊技状態）への移行が最終的に報知されたわけではない。また、最終的に勝ち又は引分けなら大当り遊技終了後に確率変動状態（第２遊技状態）に移行する。
【０１３９】
以上が操作信号受信処理となる。操作カウンタの値は、状態目安変化の態様の種類に対応しており、操作回数カウンタの上限値は、大当り遊技終了後に確変状態に移行することを報知する状態目安変化の態様に対応する。また、大当り遊技終了後の遊技状態が確率変動状態ではなく時短状態なら、大当り遊技中の勝負演出で味方キャラクタが敵キャラクタに勝つパターンは存在しないため、Ｓ８４０が否定判定となり、遊技ボタン１４を何回操作しても味方キャラクタの状態目安は上限まで到達しない。
【０１４０】
次に、図１８の図表を用いて勝負演出の敵キャラクタ選択時に用いる第１選択確率（Ｓ７２５）と第２選択確率（Ｓ７３０）の設定内容を説明する。直近の勝負演出で遊技ボタン１４を操作した場合（Ｓ７２０：ｙｅｓ、操作記憶有り）に用いる第１選択確率では、キャラクタａからキャラクタｊまでの１０種類の敵キャラクタの中から、Ｓ７０５で抽出した振分乱数の値に応じて勝負演出で表示する敵キャラクタを選択する。また、振分乱数を用いて敵キャラクタを選択する割合は、大当り遊技終了後の遊技状態が時短状態（非確率変動状態）か確率変動状態かによって異なるものとなっている。なお、この場合の時短状態は本願発明における第１遊技状態に該当し、確率変動状態は第２遊技状態に該当する。
【０１４１】
具体的な選択率は、大当り遊技終了後の遊技状態が時短状態の場合、キャラクタａが選択される割合は１％。キャラクタｂ、キャラクタｃが選択される割合はそれぞれ２％。キャラクタｄ、キャラクタｅが選択される割合はそれぞれ３％。キャラクタｆが選択される割合は４％。キャラクタｇが選択される割合は５％。キャラクタｈが選択される割合は１０％。キャラクタｉが選択される割合は１５％。キャラクタｊが選択される割合は５５％となっている。
【０１４２】
大当り遊技終了後の遊技状態が確率変動状態の場合、キャラクタａが選択される割合は２０％。キャラクタｂ、キャラクタｃ、キャラクタｄ、キャラクタｅ、キャラクタｆ、キャラクタｇが選択される割合はそれぞれ１１％。キャラクタｈが選択される割合は８％。キャラクタｉが選択される割合は５％。キャラクタｊが選択される割合は１％となっている。
【０１４３】
また、報知回数の列で示した数は、選択された敵キャラクタ毎に実施される遊技ボタン１４を用いた勝負演出、即ち大当り遊技後に確変、時短のどちらの遊技状態に移行するかを示唆する演出を実施する回数であり、本実施例では、必ず特定のラウンド中に行われる。具体的には、敵キャラクタａ〜ｉで報知を３回行う場合は、必ず３ラウンド〜７ラウンドと、１０ラウンド〜１２ラウンドと、１５ラウンドに行い、敵キャラクタａ〜ｉで報知を２回行う場合と敵キャラクタｊの場合は、必ず１０ラウンド〜１２ラウンドと、１５ラウンドに行う。このように、報知回数が１回少ない場合には、最初の報知（３ラウンド〜７ラウンド）を行わない。なお、報知回数が２回少ない構成を設定してもよく、その場合、最初の報知（３ラウンド〜７ラウンド）と次の報知（１０ラウンド〜１２ラウンド）を行わない構成としてもよい。
【０１４４】
本実施例では、キャラクタａ〜ｉが選択された場合でも、キャラクタｊが選択された場合でも、１０ラウンドから１５ラウンドまでは同じ表示を行う設定内容となっている。また、キャラクタｊが選択された場合には、主人公が敵キャラクタに勝利する演出（確率変動への移行を示唆）を実施する割合が極めて少なくなっている（選択率を０％に設定し、主人公が絶対に負ける構成も考えられる）。さらに、キャラクタｊが選択された場合は、上述した報知回数が他のキャラクタよりも少ない設定となっている。
【０１４５】
このキャラクタｊの設定内容により、キャラクタｊが選択された場合は、大当り遊技終了後に時短状態（第１遊技状態）に移行する確率が高くなっているため、遊技者にとってキャラクタｊは、出現して欲しくない敵キャラクタとなっている。また、本実施例では、通常遊技状態で大当りした場合には、毎回同じ敵キャラクタが出現する固定バトル大当り演出が実施されるが、この場合に出現する敵キャラクタはキャラクタｊであり、必ずキャラクタｊとの勝負演出が行われる設定となっている。
【０１４６】
直近の勝負演出で遊技ボタン１４を操作しなかった場合（Ｓ７２０：ｎｏ、操作記憶無し）に用いる第２選択確率でも、キャラクタａからキャラクタｊまでの１０種類の敵キャラクタの中から、Ｓ７０５で抽出した振分乱数の値に応じて勝負演出で表示する敵キャラクタを選択し、大当り遊技終了後の遊技状態が時短状態（非確率変動状態）か確率変動状態かによって選択確率が異なるものとなっている。
【０１４７】
第２選択確率における各キャラクタの選択率は、大当り遊技終了後の遊技状態が時短状態の場合は、第１選択確率と同一内容となり、大当り遊技終了後の遊技状態が確率変動状態となる場合に異なる選択率となっている。具体的には、大当り遊技終了後の遊技状態が確率変動状態の場合、キャラクタａ、キャラクタｂ、キャラクタｃ、キャラクタｄ、キャラクタｅ、キャラクタｆ、キャラクタｇが選択される割合はそれぞれ１％。キャラクタｈが選択される割合は１３％。キャラクタｉが選択される割合は２０％。キャラクタｊが選択される割合は６０％となっている。
【０１４８】
上記した内容で第１選択確率と第２選択確率を設定することで、キャラクタｊが本願発明おける敵キャラクタＡに該当する構成となっている。詳しくは、図１９に示すように、キャラクタｊは、第１選択確率において、確率変動状態へ移行する場合（１％）よりも時短状態に移行する場合（５５％）に高い確率で選択される設定とし、第２選択確率において確率変動状態に移行する場合、第１選択確率で確率変動状態に移行する場合に選択される確率（１％）よりも、高い確率（６０％）で選択される構成となっている。この構成は請求項１の構成に該当する。なお、請求項１の構成では、キャラクタｈ及びキャラクタｉも敵キャラクタＡに該当する。
【０１４９】
また、キャラクタｊは、第１選択確率において確率変動状態へ移行する場合（１％）よりも時短状態に移行する場合（５５％）に高い確率で選択される設定とし、第２選択確率において時短状態に移行する場合（５５％）よりも、確率変動状態に移行する場合（６０％）の方が選択される確率が高い構成となっている。この構成は請求項２に該当する。
【０１５０】
また、キャラクタｊは、第１選択確率において時短状態に移行する場合に最も高い確率（５５％）で選択される設定とし、第２選択確率においては、確率変動状態に移行する場合に最も高い確率（６０％）で選択される構成となっている。この構成は請求項３に該当する。
【０１５１】
また、各キャラクタ毎に特別遊技終了後に時短状態（第１遊技状態）か確率変動状態（第２遊技状態）かのどちらの遊技状態に移行するかを示唆する表示（報知）を、特別遊技状態中に何回行うか設定されており、第２選択確率は、時短状態（第１遊技状態）か確率変動状態（第２遊技状態）かのどちらの遊技状態に移行するかを示唆する表示の回数が一番少なく設定されたキャラクタｊ（敵キャラクタＡ）の選択率を、遊技状態決定手段によって確率変動状態（第２遊技状態）に移行させると決定された場合における第１選択確率よりも高く設定した構成ともいえる。
【０１５２】
また、各キャラクタ毎に特別遊技終了後に時短状態（第１遊技状態）か確率変動状態（第２遊技状態）かのどちらの遊技状態に移行するかを示唆する表示（報知）を、特別遊技状態中に何回行うか設定されており、第１選択確率は、時短状態（第１遊技状態）か確率変動状態（第２遊技状態）かのどちらの遊技状態に移行するかを示唆する表示の回数が一番少なく設定されたキャラクタｊ（敵キャラクタＡ）の選択率を、遊技状態決定手段によって確率変動状態（第２遊技状態）に移行させると決定された場合の選択率よりも時短状態（第１遊技状態）に移行させると決定された場合の選択率のほうが高く設定され、第２選択確率は、キャラクタｊ（敵キャラクタＡ）の選択率を、遊技状態決定手段によって時短状態（第１遊技状態）に移行させると決定された場合の選択率よりも確率変動状態（第２遊技状態）に移行させると決定された場合の選択率を高く設定した構成ともいえる。
【０１５３】
また、特別遊技終了後に時短状態（第１遊技状態）か確率変動状態（第２遊技状態）かのどちらの遊技状態に移行するかを示唆する表示（報知）を、特別遊技状態中に何回行うか設定されており、第１選択確率は、第１選択確率は、時短状態（第１遊技状態）か確率変動状態（第２遊技状態）かのどちらの遊技状態に移行するかを示唆する表示の回数が一番少なく設定されたキャラクタｊ（敵キャラクタＡ）の選択率を、遊技状態決定手段によって時短状態（第１遊技状態）に移行させると決定された場合に、複数の敵キャラクタの中で一番高く設定し、第２選択確率は、キャラクタｊ（敵キャラクタＡ）の選択率を、遊技状態決定手段によって確率変動状態（第２遊技状態）に移行させると決定された場合に、複数の敵キャラクタの中で一番高く設定した構成となっている。
【０１５４】
次に、図２０に示したタイミングチャートを用いて、大当り遊技の演出（出現する敵キャラクタ）と、遊技ボタン１４の操作の有無と、大当り遊技終了後の遊技状態との関係例を説明する。上段のタイミングチャートで、抽選確率（当否判定確率）が低確率の通常確率非時短状態で大当りが生起すると、大当りの連続回数としては１回目の大当り遊技を実施する。この大当りで演出図柄表示装置５４ｂに表示する大当り遊技演出では、固定バトルが選択され（図１６、Ｓ７１５）、勝負演出の敵キャラクタとして必ずキャラクタｊが表示される。固定バトルにおけるキャラクタｊとの勝負演出中では、遊技ボタン１４の操作の有無に拘わらず、味方キャラクタが勝つ演出は無く、大当り遊技終了後の遊技状態が確率変動状態なら引分け演出を行い、大当り遊技終了後の遊技状態が時短状態（非確変）なら負け演出を行う。この勝負演出では負ける演出を行い、大当り遊技終了後に時短状態に移行している。なお、大当り遊技終了後の時短状態（非確変）は、特別図柄が１００回の変動を実施するまでの期間となる。
【０１５５】
次に、再度同様に低確率の通常遊技状態で大当りが生起すると、新たな連続回数１回目の大当り遊技の演出としてキャラクタｊを対戦相手とする勝負演出（固定バトル）を実施する。この大当りでは、勝負演出中に遊技ボタン１４が操作され、勝負演出の結果が引分けで大当り遊技終了後に確変状態（確率変動状態）となっている。該確変状態中に連続回数２回目の大当りが生起すると、大当り演出の選択（図１６、大当りコマンド選択処理）では、前回の大当り演出中の遊技ボタン１４の操作記憶の有無を条件に敵キャラクタ選択時の選択確率を決定するが、この場合、前回の勝負演出中に遊技ボタン１４が操作されているため、操作記憶有り（図１６、Ｓ７２０：ｙｅｓ）に応じて第１選択確率を決定し、大当り遊技終了後の遊技状態に応じて敵キャラクタを選択する。この場合、大当り遊技終了後の遊技状態が確変状態であるため、キャラクタｊが選択される確率は極めて低く（１％）、キャラクタａ〜ｉの中から選択される場合がほとんどとなる。また、この場合、勝負演出中に遊技ボタン１４が操作されていないため、大当り遊技終了後の遊技状態が確変状態であっても勝負演出の結果が勝ちとはならず、引分けとなっている。この例からも、勝負演出の敵キャラクタとしてキャラクタｊが出現しなかった場合は、大当り遊技終了後に確率変動に移行する確率が高いことを遊技者が認識（学習）するようになる。
【０１５６】
確率変動中に連続回数３回目の大当りが生起すると、前回の勝負演出中に遊技ボタン１４が操作されていないため、操作記憶無し（図１６、Ｓ７２０：ｎｏ）に応じて第２選択確率を決定し、大当り遊技終了後の遊技状態に応じて敵キャラクタを選択するが、この場合、大当り遊技終了後の遊技状態が確変状態であっても、第２選択確率を用いるため（操作記憶が無いため）、６０％の確率で遊技者が手強いと感じる（遊技者が出現してほしくないと思っている）キャラクタｊが選択される。また、勝負演出中に遊技ボタン１４が操作されているが、対戦相手がキャラクタｊであるため、大当り遊技終了後の遊技状態が確変状態であっても勝負演出の結果は引分けとなっている。
【０１５７】
確率変動中に連続回数４回目の大当りが生起すると、前回の勝負演出中に遊技ボタン１４が操作されているため操作記憶有り（図１６、Ｓ７２０：ｙｅｓ）に応じて第１選択確率を決定する。この場合も、連続回数２回目の大当りと同様に、大当り遊技終了後の遊技状態が確変状態で、且つ、前回の勝負演出中に遊技ボタン１４の操作有りの条件を満たしているため、キャラクタｊが選択される確率は極めて低く、他の敵キャラクタの出現によって、遊技者は、大当り遊技終了後の遊技状態が確変状態の可能性が高いことを該敵キャラクタ出現時に認識する。この勝負演出中に遊技ボタン１４を操作すると、大当り遊技終了後の遊技状態が確変状態であり、尚且つ対戦相手がキャラクタｊ以外であるため、勝負演出の結果は勝ちとなり大当り遊技終了後は確率変動状態に移行する。
【０１５８】
確率変動中に連続回数５回目の大当りが生起すると、前回の勝負演出中に遊技ボタン１４が操作されているため、操作記憶有りに応じて第１選択確率を決定するが、連続回数２回目及び４回目とは異なり、大当り遊技終了後の遊技状態が時短状態であるため、勝負演出の対戦相手として５５％の確率で遊技者が出現を望まないキャラクタｊが選択される。但し、図示した例ではキャラクタｊ以外の敵キャラクタが選択されている。この勝負演出では、対戦相手はキャラクタｊではないが大当り遊技終了後の遊技状態が時短状態であるため遊技ボタン１４を操作しても勝負演出の結果は負けとなる。大当り遊技終了後の時短状態が終了すると、通常確率非時短状態となりこの状態で大当りを生起すると、新たに連続回数１回目の大当り遊技を開始する。
【０１５９】
図２０の下段のタイミングチャートは、上段に示した連続回数５回目の大当り遊技の後の時短状態から、連続回数６回目の大当りが生起する場合の例である。連続回数５回目の大当り遊技が終了すると時短状態に移行するが、この時短状態で大当りが生起すると、該生起時の遊技状態が通常確率非時短状態ではないため（図１６、Ｓ７１０：ｎｏ）、前回（５回目）の遊技ボタン１４の操作記憶の有無に応じて敵キャラクタの選択確率を決定する。この場合、遊技ボタン１４の操作記憶があるため第１選択確率を決定し、大当り遊技終了後の遊技状態が確変状態であるためキャラクタｊが選択される確率は極めて低く、他の敵キャラクタの出現によって、遊技者は、大当り遊技終了後の遊技状態が確変状態の可能性が高いことを該敵キャラクタ出現時に認識する。この勝負演出中に遊技ボタン１４が操作され、勝負演出の結果が勝ちとなり、大当り遊技終了後の遊技状態が確変状態に移行する。
【０１６０】
確率変動中に連続回数７回目の大当りが生起すると、前回の勝負演出中に遊技ボタン１４が操作されているため、操作記憶有りに応じて第１選択確率を決定するが、大当り遊技終了後の遊技状態が時短状態であるため、勝負演出の対戦相手として５５％の確率で遊技者が出現を望まないキャラクタｊが選択される。但し、図示した例ではキャラクタｊ以外の敵キャラクタが選択されている。この勝負演出では、遊技ボタン１４が操作されず、勝負演出の結果が負けとなり大当り遊技終了後に時短状態に移行する。
【０１６１】
時短状態に連続回数８回目の大当りが生起すると、該生起時の遊技状態が通常確率非時短状態ではないため、前回（７回目）の遊技ボタン１４の操作記憶なしに応じて第２選択確率を決定する。但し、大当り遊技終了後の遊技状態が時短状態であるため、敵キャラクタの選択確率は第１選択確率と実質的に同一となり、最も選択率の高いキャラクタｊが選択されている。この勝負演出では、遊技ボタン１４が操作され、勝負演出の結果が負けとなり大当り遊技終了後に時短状態に移行する。
【０１６２】
時短状態が終了し、通常確率非時短状態で大当りが生起すると、新たに１回目の大当り遊技の演出としてキャラクタｊを対戦相手とする勝負演出（固定バトル）を実施する。この大当りでは、勝負演出中に遊技ボタン１４が操作されず、勝負演出の結果が負けで大当り遊技終了後に時短状態となっている。
【０１６３】
該時短状態中に連続回数２回目の大当りが生起すると、該生起時の遊技状態が通常確率非時短状態ではないため、前回（１回目）の遊技ボタン１４の操作記憶なしに応じて第２選択確率を決定する。この場合、大当り遊技終了後の遊技状態が確変状態であるため、最も選択率の高いキャラクタｊが選択されている。また、勝負演出中に遊技ボタン１４が操作されていないため、大当り遊技終了後の遊技状態が確変状態であっても勝負演出の結果が引分けとなっている。
【０１６４】
大当り遊技終了後の確変状態から３回目の大当りが生起すると、該生起時の遊技状態が通常確率非時短状態ではないため、前回（２回目）の遊技ボタン１４の操作記憶なしに応じて第２選択確率を決定する。この場合、大当り遊技終了後の遊技状態が時短状態であるため、敵キャラクタの選択確率は第１選択確率と実質的に同一となり、最も選択率の高いキャラクタｊが選択されている。この勝負演出では、遊技ボタン１４が操作さず、勝負演出の結果が負けとなり大当り遊技終了後に時短状態に移行する。
【０１６５】
図２１は、本願発明における第１遊技状態が通常確率非時短状態で、第２遊技状態が確率変動状態と時短状態が同時に作動する状態（図２０と同一）の場合における、大当り遊技の演出（出現する敵キャラクタ）と、遊技ボタン１４の操作の有無と、大当り遊技終了後の遊技状態との関係例を示したタイミングチャートである。図２０との相違点は、大当り遊技終了後の遊技状態として第１遊技状態が選択されると、該第１遊技状態は通常確率非時短状態であるため、次回の大当り生起時には必ず固定バトル（キャラクタｊ）を行う点となる。それ以外は、図２０の内容と同一である。
【０１６６】
次に、図２２から図２５に示した大当り演出中に演出図柄表示装置５４ｂに表示する演出例と、図２６、図２７に示した演出発展経路図を用いて、大当り演出（勝負演出）時の演出表示内容を説明する。図２２から図２５に記載されているように、本実施例では、１回の大当り遊技中（勝負演出中）に最大で３回遊技ボタン１４を操作する演出を実施する。この回数は、図１８を用いて説明した報知回数に該当する。
【０１６７】
大当り演出が開始されると、図２２のＡ−ａ又は図２５のＢ-ａのように、右側に味方キャラクタを、左側に敵キャラクタを配置した画面を表示する。この時点（大当り演出開始時）で敵キャラクタの種類が分かるため、遊技者は、出現した敵キャラクタの種類により大当り遊技終了後の遊技状態が確変状態となる可能性が高いか、時短状態となる確率が高いかを想定することが可能となる。
【０１６８】
なお、図２５のＢ-ａの左側に示したキャラクタが敵キャラクタｊとなり、本願発明における敵キャラクタＡに該当する。また、大当り演出開始時に図２５のＢ-ａが表示された場合、即ち敵キャラクタｊ（遊技者が一番手強いと感じる敵キャラクタ）が出現した場合は、遊技ボタン１４を操作して演出を変化させる期間（報知回数）は、１０ラウンドから１２ラウンドと、１５ラウンドの２回の期間となる。また、敵キャラクタｊ以外の敵キャラクタａ〜ｉ（遊技者が弱いと感じる敵キャラクタ）が大当り開始時に出現した場合は、遊技ボタン１４を操作して演出を変化させる期間（報知回数）は、３ラウンドから４ラウンドと、１０ラウンドから１２ラウンドと、１５ラウンドの３回の期間か、１０ラウンドから１２ラウンドと、１５ラウンドの２回の期間となる。
【０１６９】
出現した敵キャラクタがａ〜ｉであった場合の具体的な表示内容と演出の流れは、大当り遊技の１ラウンドから２ラウンドまでは上記したＡ-ａの構成の画面を表示する（各キャラクタが表示位置を変えず相手に当らないパンチやキックを出す動き有り）。３ラウンドを開始すると、表示画面がＡ-ｂかＡ-ｃのいずれかの画面を表示する。この時点での分岐によって、報知を３回実施するか２回実施するかが分かれる（図２６の演出発展経路図（１）参照）。
【０１７０】
３ラウンドの開始に応じてＡ-ｂを表示、即ち敵キャラクタａ〜ｉを表示すると、敵キャラクタが味方キャラクタを攻撃する演出の流れとなり、遊技ボタン１４を操作することによって味方キャラクタの状態又は該状態の目安表示を変化させる演出回数（報知回数）が１回減る。この流れ（３ラウンドでＡ-ｂを表示）では、５ラウンドが開始するとＡ-ｆに示すように敵キャラクタが味方キャラクタを攻撃する演出を行い、７ラウンドではＡ-ｉ（図２３）に示すように味方キャラクタがダウンする演出を表示する。
【０１７１】
それに対して、３ラウンドの開始に応じてＡ-ｃ（図２２）を表示、即ち味方キャラクタが表示されると、ほぼ同時に遊技ボタン１４の操作を促す態様が表示され、遊技ボタン１４を操作することによって味方キャラクタの状態又は該状態の目安表示を変化させる演出（大当り遊技終了後の遊技状態を示唆する演出報知）が実施される。Ａ-ｃの表示から開始される遊技ボタン１４の操作期間は、３ラウンドから４ラウンドで、その間は味方キャラクタの周りに表示されるオーラが遊技ボタン１４の操作に応じて徐々に大きくなる演出を実施する。３ラウンドから４ラウンドにかけては、この遊技ボタン１４の操作に応じて変化するオーラの大きさが本願発明における「味方キャラクタの状態又は該状態を示す目安表示」となる。当然、オーラが大きくなればなるほど、味方キャラクタが強い状態（大当り遊技終了後に確変状態に移行する可能性が高い）を示している。
【０１７２】
遊技ボタン１４の操作に応じて、４ラウンドが終了するまでに味方キャラクタ周りのオーラがＡ-ｄ（図２２）に示す大きさまで変化した場合（Ａ-ｄに示す大きさまでにしかオーラが大きくならなかった場合）、５ラウンドを開始すると味方キャラクタが攻撃を行う演出を行うが、その演出表示態様はＡ-ｇ又はＡ-ｈのどちらかになる。
【０１７３】
攻撃時にオーラの無いＡ-ｇ（図２３）が表示されると、７ラウンドでは味方キャラクタが勝つパターン（確変確定報知）と負けるパターンに分岐するが、攻撃時にオーラをともなうＡ-ｈ（図２３）が表示されると、７ラウンドでは必ず味方キャラクタが勝つＡ-ｊ（図２３）（確変報知）を表示する。なお、４ラウンドが終了するまでに遊技ボタン１４の操作に応じて味方キャラクタ周りのオーラがＡ-ｅ（図２２）に示す最大限まで大きくなると、５ラウンドが開始されると必ずＡ-ｈを表示する。従って、オーラが最大限まで大きくなったＡ-ｅの表示態様は大当り遊技終了後の確変確定報知態様といえる。
【０１７４】
Ａ-ｊが表示されると、即ち大当り遊技終了後の遊技状態が確率変動であることを報知すると、それ以降の大当り演出では、画面に出現する全てのキャラクター（味方キャラクタ及び敵キャラクタａ〜ｊ）の紹介演出を行う。
【０１７５】
５ラウンドでＡ-ｇが表示され、味方キャラクタが負ける場合、即ち、大当り遊技終了後の遊技状態が時短状態か、若しくは確変状態であってもこの演出期間では確変状態に移行することを報知しない演出パターンが選択されている場合（図１７のＳ８４０の判定で否定判定となる場合）は、７ラウンドを開始するとＡ-ｉ（図２３）を表示する。
【０１７６】
大当り遊技終了後の遊技状態が時短状態であるか、若しくは確変ではあるが７ラウンドでの確変報知を行わなかった場合（図２６でＡ-ｇ失敗）、又はＡ-ｆ（図２２）の敵キャラクタの攻撃を経た場合は（図２６で、開始からＡ-ｂ、Ａ-ｆと経過）、Ａ-ｉ以降にも勝負演出を継続する。その場合、１０ラウンドから１２ラウンドで遊技ボタン１４を操作することによって味方キャラクタの状態又は該状態の目安表示を変化させる演出（大当り遊技終了後の遊技状態を示唆する演出のよる報知）を実施する。この場合の演出内容は、前回の対戦で一度倒れた味方キャラクタの体力を、遊技ボタン１４の操作により回復させる演出となる。
【０１７７】
具体的な表示態様は、１０ラウンドを開始するとＡ-ｋ（図２３）に示すように、倒れた味方キャラクタと遊技ボタン１４の操作を促す態様と体力メータとを表示し、１２ラウンドが終了するまでに、遊技ボタン１４の操作に応じて体力メータのレベルを上げていく演出を行う。この場合、遊技ボタン１４の操作に応じて変化する体力メータのレベルが本願発明における「味方キャラクタの状態又は該状態を示す目安表示」に該当する。
【０１７８】
大当り遊技終了後の遊技状態が確変状態に移行することが決定され、尚且つ１０〜１２ラウンドの期間で確変報知を実施することが可能な大当り演出が選択されている場合は、遊技ボタン１４が５回操作された時点（図１７のＳ８４０の判定が肯定判定となる場合）でＡ-ｍ（図２４）を表示し、大当り遊技終了後に確変状態に移行することを報知する。該報知を実施した後の大当り演出は、Ａ-ｊ以降の演出と同様に各キャラクタの紹介演出を大当り遊技が終了するまで実施する。なお、Ａ-ｍにおける演出表示は、味方キャラクタと敵キャラクタとの対戦結果が引分けであることで確変状態となることを示している。これは確率変動状態を経た次の大当りで再度対戦が待機していることを示唆する演出ともいえる。
【０１７９】
大当り遊技終了後の遊技状態が時短状態であるか、若しくは確変ではあるが７ラウンドと１２ラウンドで確変報知を行わなかった場合（図１７のＳ８４０の判定が否定判定となる場合）は、図２３のＡ-ｌを表示し勝負演出を継続する。次の遊技ボタン１４を操作する演出は最終ラウンドである１５ラウンドを開始すると実施し、図２４のＡ-ｎを表示して遊技ボタン１４の操作が１回だけ可能となるラストチャンス演出を行う。
【０１８０】
ラストチャンス演出では、大当り遊技終了後の遊技状態が確変状態であれば、遊技ボタン１４を操作したか否かに拘らず図２４のＡ-ｐを表示した後にＡ-ｒの復活演出（引分け演出）を表示して確変報知を行い、大当り遊技終了後の遊技状態が時短状態であれば、遊技ボタン１４を操作したか否かに拘らず図２４のＡ-ｏを表示して勝負演出としての味方キャラクタの負けが確定しＡ-ｑを表示して時短状態を報知する。従って、１５ラウンドよりも前の勝負演出で負け続けてもその時点では時短状態に移行することの報知とはならず、１５ラウンドのラストチャンス演出で復活できなかった場合に負けが確定し時短状態へ移行することの報知となる。
【０１８１】
次に、大当り開始時の１ラウンド目に図２５のＢ-ａが表示され、敵キャラクタがｊであった場合には、図２７の演出経路図で示すように、３ラウンドにＢ-ｂが表示され、５ラウンドにＢ-ｃ（敵キャラクタｊの攻撃）が表示され、７ラウンドにＢ-ｄ（味方キャラクタがダウン）が表示されることによって、大当り遊技の前半には遊技ボタン１４を操作する演出は行わず、演出としては敵キャラクタｊの圧倒的な強さを毎回見せ付けられる。なお、１０ラウンド以降の勝負演出は、敵キャラクタがａ〜ｉの場合と同一の演出を実施し、必ず１０ラウンドから１２ラウンドにおいて遊技ボタン１４を連打させる演出（体力メータを上げる演出）を行い、体力メータが最大値まで達しなかった場合には、１５ラウンドで遊技ボタン１４を１回操作する演出（ラストチャンス演出）を行う。
【０１８２】
この様に、遊技ボタン１４の操作記憶（操作結果記憶手段）を行うラウンドが、選択した敵キャラクタの違い及びキャラクタの表示態様（３ラウンド目にどちらが表示されるか）によって異なるようになっており、どの敵キャラクタが選択されても、敵キャラクタがどのような表示態様になっても、必ず操作記憶の可能な期間が存在する構成となっている。
【０１８３】
なお、敵キャラクタがキャラクタａ〜ｉで、３ラウンド目に味方キャラクタが表示された場合には、オーラ演出か体力演出かどちらか一方の演出で遊技ボタン１４が操作されれば（操作が記憶されれば）、次回の大当り演出選択時に第１選択率を選択する構成にしてもよいし、攻撃が失敗した場合には、オーラ演出と体力演出との双方で遊技ボタン１４が操作されなければ第２選択確率になってしまう構成（どちらか一方だけの操作記憶だけでは、操作記憶なしと判定する構成）にしてもよい。
【０１８４】
本実施例では、当否判定時に第２遊技状態（確変状態）に移行することが決定されていても、勝負演出中に遊技者が遊技ボタン１４を操作しなかった場合には、味方キャラクタが勝利する演出は表示されないようになっている（第２遊技状態に移行する報知として引き分け演出を表示）。また、当否判定時に第２遊技状態に移行することが決定されており、オーラ演出や体力メータ演出で操作ボタンを所定回数以上操作したからといって、勝負演出の結果が必ず勝ちになるとは限らない（どんなに押しても引き分け演出になるときもある）。図２４のＡ-ｒの演出表示も引分け演出にあたる。
【０１８５】
以上が実施例の説明となる。本実施例では、通常確率非時短状態で大当りが生起した場合は、キャラクタｊが対戦する敵キャラクタとなる固定バトルを毎回実施したが、通常確率非時短状態で大当りが生起した場合にも、複数の敵キャラクタの中から一つの敵キャラクタを選択する構成としてもよい。その場合、第１選択確率を用いて敵キャラクタを選択するのが望ましく、具体的には図１６の大当り開始コマンド受信処理において、Ｓ７１０の判定が肯定判定（大当り開始コマンド受信時が通常確率非時短状態）なら、Ｓ７２５の処理に進む構成としてもよい。この構成においても、通常確率非時短状態で生起した大当たりは毎回同じ条件となり、自分が行った行動により、自分がこれから行う遊技状態は変化するが、自分が行った行動により自分の遊技後（通常確率非時短状態）に他の人が行う遊技状態には影響を及ぼさない。
【０１８６】
上記した構成においても、第１遊技状態が通常確率非時短状態以外の遊技者に有利な遊技状態である場合には、該通常確率非時短状態以外（第２遊技状態又は第１遊技状態）への移行の契機となった大当り遊技時の遊技ボタン１４の操作の有無に応じて、第１遊技状態時又は第２遊技状態時に生起した大当り遊技に出現する敵キャラクタの選択確率を、第１選択確率か第２選択確率かに変更し、通常確率非時短状態で大当りが生起した場合には、前回の遊技ボタン１４の操作の有無に拘わらず初期の選択確率となる第１選択確率を用いて敵キャラクタを選択する構成となる。
【０１８７】
また、第１遊技状態を通常確率非時短状態とする構成の場合には、第２遊技状態への移行の契機となった大当り遊技中の遊技ボタン１４の操作の有無によって、第２遊技状態時に生起した大当り遊技で表示する敵キャラクタの選択確率を、第１選択確率か第２選択確率かに変更し、通常確率非時短状態で大当りが生起した場合には、前回の遊技ボタン１４の操作の有無に関係なく初期の選択確率となる第１選択確率を用いて敵キャラクタを選択する構成となる。
【０１８８】
また、本実施例では、勝負演出中の遊技ボタン１４の操作記憶の有無を専用の記憶領域に記憶したが、主制御装置５０がフラグを用いて判断する構成としてもよく、勝負演出中に遊技ボタン１４が操作されればフラグの初期状態「０」を保持し、遊技ボタン１４が操作されなければフラグが成立「１」し、大当り遊技終了後に遊技状態が通常確率非時短状態に移行した時点又は大当りが生起し敵キャラクタを選択した時点でフラグを初期化する構成としてもよい。なお、フラグの成立条件を逆にしてもよい（遊技ボタン１４が操作された場合に成立「１」し、操作されない場合はフラグは初期状態「０」）。
【０１８９】
また、本実施例では、勝負演出の敵キャラクタ選択時に、遊技ボタン１４の操作記憶が有るか無しかに応じて第１選択確率又は第２選択確率を決定したが、操作結果記憶手段に遊技ボタン１４の操作回数まで記憶する構成とし、操作回数の違いに応じて選択確率を設定する構成としてもよく、第１選択確率と第２選択確率だけでなく、第３選択確率、第４選択確率等を備えてもよい。
【０１９０】
また、遊技ボタン１４の操作回数を計数する操作カウンタの計数可能値を大きくし（例えばＦＦ（ｈ））、遊技ボタン１４が何回操作できたかによって選択確率を決定する構成も考えられる。この場合、遊技ボタン１４の操作回数が多ければ多いほど大当り遊技終了後に確率変動状態に移行する場合はキャラクタｊが出現しにくくなる（出現確率が低くなる）等が考えられる。
【０１９１】
本実施例においては、遊技者に有利な遊技状態を挟んで大当り遊技が連続する場合、毎回前回の遊技ボタン１４の操作記憶を参照して敵キャラクタを選択したが、大当りが遊技者に有利な遊技状態を挟んで継続する場合、途中の大当りで遊技ボタン１４が操作されなければ、以降に遊技者に有利な遊技状態を挟んで大当りが連続する場合は、第２選択確率を継続して選択してもよい。
【０１９２】
また、本実施例では、第１選択確率と第２選択確率においては図１８に示すように大当たり遊技終了後に第１遊技状態に移行する場合は同一内容の選択確率を設定して敵キャラクタを選択したが、遊技ボタン１４の操作の有無に応じて、第２遊技状態に移行する場合の各敵キャラクタの選択確率を変化させる場合、第１選択確率で高い割合で選択されるキャラクタを、第２選択確率では低い割合で選択するようにし、第１選択確率で低い割合で選択されるキャラクタを、第２選択確率では高い割合で選択するよう設定するだけでは、遊技ボタン１４の操作の有無に応じて敵キャラクタの選択確率が単純に逆転するだけとなり、遊技者がその関係をすぐに察知し易い構成となってしまう。但し、本願発明の様に、第２選択確率において第２遊技状態に移行する場合に高い確率で選択する敵キャラクタが、どちらの選択確率においても第１遊技状態に移行する場合に高い確率で選択される設定に固定されているため、遊技者が単純に選択確率が逆転したものとして判断することが不可能となる。
【産業上の利用可能性】
【０１９３】
以上のように、本願発明の弾球遊技機によれば、大当り遊技中の操作手段の操作の有無によって、次回の大当り中に表示される演出内容が変化し、操作しなかった場合には、大当り遊技終了後の遊技状態が遊技者に有利な状態であっても、大当り中の表示演出には不利な状態への移行を示唆する演出が高確率で選択される構成となっている。従って、大当り中の表示演出を変化させることが可能な操作手段を備えた弾球遊技機に適用することができる。
【符号の説明】
【０１９４】
８        遊技盤
１４      遊技ボタン
２９      第１特別図柄表示装置
２９ａ    第１特別図柄保留数表示装置
３０      第２特別図柄表示装置
３０ａ    第２特別図柄保留数表示装置
３１ａ    第１始動口スイッチ
３２ａ    第２始動口スイッチ
５０      主制御装置
５３      サブ統合制御装置
５４ａ    演出図柄制御装置
５４ｂ    演出図柄表示装置
【図１】
0005764778.tif 000002
【図２】
0005764778.tif 000003
【図３】
0005764778.tif 000004
【図４】
0005764778.tif 000005
【図５】
0005764778.tif 000006
【図６】
0005764778.tif 000007
【図７】
0005764778.tif 000008
【図８】
0005764778.tif 000009
【図９】
0005764778.tif 000010
【図１０】
0005764778.tif 000011
【図１１】
0005764778.tif 000012
【図１２】
0005764778.tif 000013
【図１３】
0005764778.tif 000014
【図１４】
0005764778.tif 000015
【図１５】
0005764778.tif 000016
【図１６】
0005764778.tif 000017
【図１７】
0005764778.tif 000018
【図１８】
0005764778.tif 000019
【図１９】
0005764778.tif 000020
【図２０】
0005764778.tif 000021
【図２１】
0005764778.tif 000022
【図２２】
0005764778.tif 000023
【図２３】
0005764778.tif 000024
【図２４】
0005764778.tif 000025
【図２５】
0005764778.tif 000026
【図２６】
0005764778.tif 000027
【図２７】
0005764778.tif 000028